(57)【特許請求の範囲】
【請求項１】
端末装置が無線リソース制御メッセージを受信する方法であって、
セカンダリセルグループ設定パラメータを含んだ無線リソース制御接続再設定メッセージを受信し、
デュアルコネクティビティにおけるマスターセルグループおよびセカンダリセルグループが設定され、
第１のＭＡＣエンティティは上記マスターセルグループにマッピングされ、
第２のＭＡＣエンティティは上記セカンダリセルグループにマッピングされ、
上記無線リソース制御接続再設定メッセージは、上記マスターセルグループを経由して交換され、
上記マスターセルグループは、少なくともプライマリセルを含み、
上記セカンダリセルグループは、少なくともプライマリセカンダリセルを含み、
上記無線リソース制御接続再設定メッセージは、上記セカンダリセルグループ設定パラメータがデータ無線ベアラ設定を含む場合と、上記セカンダリセルグループ設定パラメータがデータ無線ベアラ設定を含まない場合とにおいて切り替わる構造を有し、
上記セカンダリセルグループ設定パラメータがデータ無線ベアラ設定を含む場合、上記データ無線ベアラ設定に対応する無線ベアラは上記セカンダリセルグループにマッピングされる、
方法。
【請求項２】
基地局装置が無線リソース制御メッセージを送信する方法であって、
セカンダリセルグループ設定パラメータを含んだ無線リソース制御接続再設定メッセージを端末装置へ送信し、
デュアルコネクティビティにおけるマスターセルグループおよびセカンダリセルグループが設定され、
第１のＭＡＣエンティティは上記マスターセルグループにマッピングされ、
第２のＭＡＣエンティティは上記セカンダリセルグループにマッピングされ、
上記無線リソース制御接続再設定メッセージは、上記マスターセルグループを経由して交換され、
上記マスターセルグループは、少なくともプライマリセルを含み、
上記セカンダリセルグループは、少なくともプライマリセカンダリセルを含み、
上記無線リソース制御接続再設定メッセージは、上記セカンダリセルグループ設定パラメータがデータ無線ベアラ設定を含む場合と、上記セカンダリセルグループ設定パラメータがデータ無線ベアラ設定を含まない場合とにおいて切り替える構造を有し、
上記セカンダリセルグループ設定パラメータがデータ無線ベアラ設定を含む場合、上記データ無線ベアラ設定に対応する無線ベアラは上記セカンダリセルグループにマッピングされる、
方法。
【請求項３】
無線リソース制御メッセージを受信する端末装置であって、
制御部を備え、
上記制御部は、セカンダリセルグループ設定パラメータを含んだ無線リソース制御接続再設定メッセージを受信し、
デュアルコネクティビティにおけるマスターセルグループおよびセカンダリセルグループが設定され、
第１のＭＡＣエンティティは上記マスターセルグループにマッピングされ、
第２のＭＡＣエンティティは上記セカンダリセルグループにマッピングされ、
上記無線リソース制御接続再設定メッセージは、上記マスターセルグループを経由して交換され、
上記マスターセルグループは、少なくともプライマリセルを含み、
上記セカンダリセルグループは、少なくともプライマリセカンダリセルを含み、
上記無線リソース制御接続再設定メッセージは、上記セカンダリセルグループ設定パラメータがデータ無線ベアラ設定を含む場合と、上記セカンダリセルグループ設定パラメータがデータ無線ベアラ設定を含まない場合とにおいて切り替わる構造を有し、
上記セカンダリセルグループ設定パラメータがデータ無線ベアラ設定を含む場合、上記データ無線ベアラ設定に対応する無線ベアラは上記セカンダリセルグループにマッピングされる、
端末装置。
【請求項４】
無線リソース制御メッセージを送信する基地局装置であって、
制御部を備え、
上記制御部は、セカンダリセルグループ設定パラメータを含んだ無線リソース制御接続再設定メッセージを端末装置へ送信し、
デュアルコネクティビティにおけるマスターセルグループおよびセカンダリセルグループが設定され、
第１のＭＡＣエンティティは上記マスターセルグループにマッピングされ、
第２のＭＡＣエンティティは上記セカンダリセルグループにマッピングされ、
上記無線リソース制御接続再設定メッセージは、上記マスターセルグループを経由して交換され、
上記マスターセルグループは、少なくともプライマリセルを含み、
上記セカンダリセルグループは、少なくともプライマリセカンダリセルを含み、
上記無線リソース制御接続再設定メッセージは、上記セカンダリセルグループ設定パラメータがデータ無線ベアラ設定を含む場合と、上記セカンダリセルグループ設定パラメータがデータ無線ベアラ設定を含まない場合とにおいて切り替える構造を有し、
上記セカンダリセルグループ設定パラメータがデータ無線ベアラ設定を含む場合、上記データ無線ベアラ設定に対応する無線ベアラは上記セカンダリセルグループにマッピングされる、
基地局装置。
【請求項５】
上記セカンダリセルグループ設定パラメータは、上記セカンダリセルグループに対するＲａｄｉｏＲｅｓｏｕｒｃｅＣｏｎｆｉｇＤｅｄｉｃａｔｅｄ情報要素を含み、
上記ＲａｄｉｏＲｅｓｏｕｒｃｅＣｏｎｆｉｇＤｅｄｉｃａｔｅｄ情報要素は、データ無線ベアラ設定およびＭＡＣ主要構成の少なくとも１つを含む、請求項１に記載の方法。
【発明の詳細な説明】
【技術分野】
【０００１】
本開示は、一般に、通信システムに関する。より具体的には、本開示は、デュアル接続性オペレーションのためのシステムおよび方法に関する。
【背景技術】
【０００２】
ワイヤレス通信デバイスは、消費者ニーズを満たし、可搬性と便利さとを改善するためにより小さく、より強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００３】
ワイヤレス通信デバイスが進歩するにつれて、通信容量、速度、フレキシビリティおよび効率の向上が求められてきた。しかしながら、通信容量、速度、フレキシビリティおよび効率の向上がいくつかの問題を提起することがある。
【０００４】
例えば、ワイヤレス通信デバイスは、複数の接続を用いて１つ以上のデバイスと通信する。しかしながら、複数の接続は、限られたフレキシビリティおよび効率を提供するに過ぎない。この考察により示されるように、通信のフレキシビリティおよび効率を向上させるシステムおよび方法が有益であろう。
【発明の概要】
【課題を解決するための手段】
【０００５】
本発明の態様は、端末装置（ＵＥ：ｕｓｅｒ  ｅｑｕｉｐｍｅｎｔ）によって無線リソース制御（ＲＲＣ：ｒａｄｉｏ  ｒｅｓｏｕｒｃｅ  ｃｏｎｔｒｏｌ）メッセージを受信するための方法を提供し、方法は、
セカンダリセルグループ（ＳＣＧ：ｓｅｃｏｎｄａｒｙ  ｃｅｌｌ  ｇｒｏｕｐ）設定パラメータを含んだＲＲＣ接続再設定（ＲＲＣＣｏｎｎｅｃｔｉｏｎＲｅｃｏｎｆｉｇｕｒａｔｉｏｎ）メッセージを受信するステップと、
タイマを始動するステップと、
プライマリセカンダリセル（ＰＳＣｅｌｌ：ｐｒｉｍａｒｙ  ｓｅｃｏｎｄａｒｙ  ｃｅｌｌ）に対してランダムアクセス手順を行うステップと、
ランダムアクセス手順が時間内に首尾よく完了されなかったかどうかをタイマに基づいて確定するステップと
を備える。
【０００６】
本発明の別の態様は、基地局装置（ｅＮＢ：ｅｖｏｌｖｅｄ  Ｎｏｄｅ  Ｂ）によって無線リソース制御（ＲＲＣ）メッセージを送信するための方法を提供し、方法は、
セカンダリセルグループ（ＳＣＧ）設定パラメータを含んだＲＲＣ接続再設定（ＲＲＣＣｏｎｎｅｃｔｉｏｎＲｅｃｏｎｆｉｇｕｒａｔｉｏｎ）メッセージを端末装置（ＵＥ）へ送信するステップを備え、ＲＲＣ接続再設定メッセージは、ＵＥに
タイマを始動させ、
プライマリセカンダリセル（ＰＳＣｅｌｌ）に対してランダムアクセス手順を行わせて、
ランダムアクセス手順が時間内に首尾よく完了されなかったかどうかをタイマに基づいて確定させる。
【０００７】
本発明の別の態様は、無線リソース制御（ＲＲＣ）メッセージを受信するための端末装置（ＵＥ）を提供し、ＵＥは、
プロセッサと、
プロセッサと電子通信を行うメモリとを備え、メモリに記憶された命令は、
セカンダリセルグループ（ＳＣＧ）設定パラメータを含んだＲＲＣ接続再設定（ＲＲＣＣｏｎｎｅｃｔｉｏｎＲｅｃｏｎｆｉｇｕｒａｔｉｏｎ）メッセージを受信して、
タイマを始動し、
プライマリセカンダリセル（ＰＳＣｅｌｌ）に対してランダムアクセス手順を行って、
ランダムアクセス手順が時間内に首尾よく完了されなかったかどうかをタイマに基づいて確定するために実行可能である。
【０００８】
本発明の別の態様は、無線リソース制御（ＲＲＣ）メッセージを送信するための基地局装置（ｅＮＢ）を提供し、ｅＮＢは、
プロセッサと、
プロセッサと電子通信を行うメモリとを備え、メモリに記憶された命令は、
セカンダリセルグループ（ＳＣＧ）設定パラメータを含んだＲＲＣ接続再設定（ＲＲＣＣｏｎｎｅｃｔｉｏｎＲｅｃｏｎｆｉｇｕｒａｔｉｏｎ）メッセージを端末装置（ＵＥ）へ送信するために実行可能であり、ＲＲＣ接続再設定メッセージは、ＵＥにタイマを始動させ、
プライマリセカンダリセル（ＰＳＣｅｌｌ）に対してランダムアクセス手順を行って、
ランダムアクセス手順が時間内に首尾よく完了されなかったかどうかをタイマに基づいて確定するために実行可能である。
【図面の簡単な説明】
【０００９】
【図１】デュアル接続性オペレーションのためのシステムおよび方法が実装された１つ以上の基地局装置（ｅＮＢ）および１つ以上の端末装置（ＵＥ）の一構成を示すブロック図である。
【図２】ＵＥによって無線リソース制御（ＲＲＣ）メッセージを受信するための方法の一実装を示すフロー図である。
【図３】ｅＮＢによってＲＲＣメッセージを送信するための方法の一実装を示すフロー図である。
【図４】ＵＥによってＲＲＣメッセージを受信するための方法の別の実装を示すフロー図である。
【図５】ｅＮＢによってＲＲＣメッセージを送信するための方法の別の実装を示すフロー図である。
【図６】デュアル接続性オペレーションのためのシステムおよび方法が実装されたイボルブド・ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）アーキテクチャの構成を示すブロック図である。
【図７】デュアル接続性オペレーションのためのシステムおよび方法が実装されたＥ−ＵＴＲＡＮおよびＵＥの一構成を示すブロック図である。
【図８】第１のユーザプレーン（ＵＰ：ｕｓｅｒ  ｐｌａｎｅ）アーキテクチャおよび第２のＵＰアーキテクチャを示すブロック図である。
【図９】セカンダリ基地局装置（ＳｅＮＢ：ｓｅｃｏｎｄａｒｙ  ｅｖｏｌｖｅｄ  Ｎｏｄｅ  Ｂ）の追加および修正の一構成を示すスレッド図である。
【図１０】ＲＲＣ接続再設定手順の一構成を示すスレッド図である。
【図１１】ＲＲＣ接続再設定手順の別の構成を示すスレッド図である。
【図１２】ＲＲＣ接続再設定手順のさらに別の構成を示すスレッド図である。
【図１３】ＵＥにおいて利用される様々なコンポーネントを示す。
【図１４】ｅＮＢにおいて利用される様々なコンポーネントを示す。
【図１５】フィードバック情報を送信するためのシステムおよび方法が実装されたＵＥの一構成を示すブロック図である。
【図１６】フィードバック情報を受信するためのシステムおよび方法が実装されたｅＮＢの一構成を示すブロック図である。
【発明を実施するための形態】
【００１０】
端末装置（ＵＥ）によって無線リソース制御（ＲＲＣ）メッセージを受信するための方法が記載される。方法は、セカンダリセルグループ（ＳＣＧ）設定パラメータを含んだＲＲＣ接続再設定（ＲＲＣＣｏｎｎｅｃｔｉｏｎＲｅｃｏｎｆｉｇｕｒａｔｉｏｎ）メッセージを受信するステップを含む。ＲＲＣ接続再設定メッセージは、ＳＣＧ設定パラメータがデータ無線ベアラ（ＤＲＢ：ｄａｔａ  ｒａｄｉｏ  ｂｅａｒｅｒ）設定を含まない構造を有する。
【００１１】
ＤＲＢ設定は、パケットデータコンバージェンスプロトコル（ＰＤＣＰ：ｐａｃｋｅｔ  ｄａｔａ  ｃｏｎｖｅｒｇｅｎｃｅ  ｐｒｏｔｏｃｏｌ）設定、無線リンク制御（ＲＬＣ：ｒａｄｉｏ  ｌｉｎｋ  ｃｏｎｔｒｏｌ）設定、論理チャネル構成、論理チャネル・アイデンティティおよびイボルブド・パケット・システム（ＥＰＳ：ｅｖｏｌｖｅｄ  ｐａｃｋｅｔ  ｓｙｓｔｅｍ）ベアラ・アイデンティティのうちの少なくとも１つを含みうる。
【００１２】
方法は、ＲＲＣ接続再設定メッセージを受信したことに応答してＲＲＣ接続再設定手順を行うステップも含みうる。ＲＲＣ接続再設定手順は、ＳＣＧ設定パラメータに基づいてＳＣＧを追加することを含みうる。ＳＣＧは、ＳＣＧ上での無線ベアラの確立を伴わずに追加されてもよい。
【００１３】
ＲＲＣ接続再設定メッセージは、第１の基地局装置（ｅＮＢ）から受信される。ＳＣＧ設定パラメータを含んだＲＲＣ接続再設定メッセージの受信に応答して、方法は、第２のｅＮＢへのランダムアクセス手順の結果に関する情報を含んだＲＲＣ接続再設定完了（ＲＲＣＣｏｎｎｅｃｔｉｏｎＲｅｃｏｎｆｉｇｕｒａｔｉｏｎＣｏｍｐｌｅｔｅ）メッセージを生成するステップを含みうる。方法は、ＲＲＣ接続再設定完了メッセージを第１のｅＮＢへ送信するステップも含みうる。
【００１４】
ランダムアクセス手順に成功した場合、ＲＲＣ接続再設定完了メッセージは、ＳＣＧ上でのランダムアクセス成功に関する情報を含みうる。ランダムアクセス手順がある時間間隔後に首尾よく完了されない場合には、ＲＲＣ接続再設定完了メッセージは、ＳＣＧ上でのランダムアクセス失敗に関する情報を含みうる。
【００１５】
ｅＮＢによってＲＲＣメッセージを送信するための方法も記載される。方法は、ＳＣＧ設定パラメータを含んだＲＲＣ接続再設定メッセージを送信するステップを含む。ＲＲＣ接続再設定メッセージは、ＳＣＧ設定パラメータがＤＲＢ設定を含まない構造を有する。
【００１６】
ＤＲＢ設定は、ＰＤＣＰ設定、ＲＬＣ設定、論理チャネル構成、論理チャネル・アイデンティティおよびＥＰＳベアラ・アイデンティティのうちの少なくとも１つを含みうる。
【００１７】
ＲＲＣ接続再設定メッセージは、ＵＥへ送信される。方法は、ＵＥによる第２のｅＮＢへのランダムアクセス手順の結果に関する情報を含んだＲＲＣ接続再設定完了メッセージを受信するステップも含みうる。
【００１８】
ランダムアクセス手順に成功した場合、ＲＲＣ接続再設定完了メッセージは、ＳＣＧ上でのランダムアクセス成功に関する情報を含みうる。ランダムアクセス手順がある時間間隔後に首尾よく完了されない場合には、ＲＲＣ接続再設定完了メッセージは、ＳＣＧ上でのランダムアクセス失敗に関する情報を含みうる。
【００１９】
ＲＲＣメッセージを受信するためのＵＥも記載される。ＵＥは、プロセッサと、プロセッサと電子通信を行うメモリとを含む。メモリに記憶されている命令は、ＳＣＧ設定パラメータを含んだＲＲＣ接続再設定メッセージを受信するために実行可能である。ＲＲＣ接続再設定メッセージは、ＳＣＧ設定パラメータがＤＲＢ設定を含まない構造を有する。
【００２０】
ＲＲＣメッセージを送信するためのｅＮＢも記載される。ｅＮＢは、プロセッサと、プロセッサと電子通信を行うメモリとを含む。メモリに記憶されている命令は、ＳＣＧ設定パラメータを含んだＲＲＣ接続再設定メッセージを送信するために実行可能である。ＲＲＣ接続再設定メッセージは、ＳＣＧ設定パラメータがＤＲＢ設定を含まない構造を有する。
【００２１】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、イボルブド・ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）およびイボルブド・ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００２２】
本明細書に開示されるシステムおよび方法の少なくともいくつかの態様は、３ＧＰＰ  ＬＴＥ、ＬＴＥアドバンスト（ＬＴＥ−Ａ：ＬＴＥ−Ａｄｖａｎｃｅｄ）および他の規格（例えば、３ＧＰＰリリース８、９、１０、１１および／または１２）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【００２３】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書にシステムおよび方法を記載するときに、ワイヤレス通信デバイスは、代わりに、移動局、ＵＥ、アクセス端末、加入者局、移動端末、遠隔局、ユーザ端末、端末、加入者ユニット、モバイルデバイスなどと呼ばれる。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【００２４】
３ＧＰＰ仕様では、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）あるいはいくつかの他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」および「ＨｅＮＢ」が同義で用いられる。そのうえ、「基地局」の一例は、アクセスポイントである。アクセスポイントは、ワイヤレス通信デバイスにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【００２５】
本明細書では、「セル」は、インターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いるために規格化または規制団体によって仕様が定められた任意の通信チャネルであり、ｅＮＢとＵＥとの間の通信に用いることが認可されたバンド（例えば、周波数バンド）として３ＧＰＰによりそのすべてまたはそのサブセットが採用されることに留意すべきである。Ｅ−ＵＴＲＡ、Ｅ−ＵＴＲＡＮの全体的な記載において、本明細書では、「セル」が「下りリンク・リソースと随意的に上りリンク・リソースとの組み合わせ」として定義されることにも留意すべきである。下りリンク・リソースのキャリア周波数と上りリンク・リソースのキャリア周波数との間のリンキングは、下りリンク・リソース上で送信されるシステム情報において示されてもよい。
【００２６】
「構成セル（ｃｏｎｆｉｇｕｒｅｄ  ｃｅｌｌ）」は、ＵＥが認識しており、情報を送信または受信することがｅＮＢによって許可されたセルである。「構成セル（単数または複数）」は、在圏セル（単数または複数）であってもよい。ＵＥは、すべての構成セル上でシステム情報を受信して必要な測定を行う。無線接続のための「構成セル（単数または複数）」は、プライマリセル、および／または０、１つまたはそれ以上のセカンダリセル（単数または複数）からなってもよい。「アクティブ化されたセル（ａｃｔｉｖａｔｅｄ  ｃｅｌｌ）」は、ＵＥが送受信を行っている構成セルである。すなわち、アクティブ化されたセルは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタする対象となるセルであり、下りリンク送信のケースでは、ＵＥが物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）を復号する対象となるセルである。「非アクティブ化されたセル（ｄｅａｃｔｉｖａｔｅｄ  ｃｅｌｌ）」は、ＵＥが送信ＰＤＣＣＨをモニタしていない構成セルである。留意すべきは、「セル」が異なるディメンジョンの観点から記述されることである。例えば、「セル」は、時間、空間（例えば、地理的）および周波数特性を有しうる。
【００２７】
本明細書に開示されるシステムおよび方法は、デュアル接続性オペレーションのためのデバイスを記載する。これは、イボルブド・ユニバーサル地上無線アクセス・ネットワーク（Ｅ−ＵＴＲＡＮ）のコンテキストで行われてもよい。例えば、端末装置（ＵＥ）とＥ−ＵＴＲＡＮ上の２つ以上のｅＮＢとの間のデュアル接続性オペレーションが記載される。一構成において、２つ以上のｅＮＢは、異なるスケジューラを有しうる。
【００２８】
本明細書に記載されるシステムおよび方法は、デュアル接続性オペレーションにおける無線リソースの効率的な使用を強化する。キャリアアグリゲーションは、１つより多いコンポーネントキャリア（ＣＣ：ｃｏｍｐｏｎｅｎｔ  ｃａｒｒｉｅｒ）の同時利用を指す。キャリアアグリゲーションにおいては、ＵＥに対して１つより多いセルがアグリゲートされる。一例において、キャリアアグリゲーションは、ＵＥに利用可能な有効バンド幅を増加させるために用いられる。従来のキャリアアグリゲーションでは、単一のｅＮＢが複数の在圏セルをＵＥに提供すると想定する。２つ以上のセルがアグリゲートされる（例えば、１つのマクロセルが複数のリモートラジオヘッド（ＲＲＨ：ｒｅｍｏｔｅ  ｒａｄｉｏ  ｈｅａｄ）セルとアグリゲートされる）シナリオであっても、これらのセルは、単一のｅＮＢによって制御される（例えば、スケジュールされる）。
【００２９】
しかしながら、スモールセル配備のシナリオでは、各ノード（例えば、ｅＮＢ、ＲＲＨなど）がそれ自体の独立したスケジューラを有しうる。両方のノードの無線リソース利用の効率を最大にするために、ＵＥは、異なるスケジューラを有する２つ以上のノードに接続する。
【００３０】
一構成において、ＵＥが異なるスケジューラを有する２つのノード（例えば、ｅＮＢ）に接続するために、ＵＥとＥ−ＵＴＲＡＮとの間のデュアル接続性が利用される。例えば、リリース１１のオペレーションに加えて、リリース１２の規格に従って動作するＵＥがデュアル接続性（マルチ接続性、ｅＮＢ間キャリアアグリゲーション、マルチフロー、マルチセル・クラスタ、マルチＵｕなどとも呼ばれる）を用いて構成される。現在は最大２つの接続が考慮されるため、「デュアル接続性」の用語が用いられる。ＵＥは、設定されていれば、複数のＵｕインターフェースを用いてＥ−ＵＴＲＡＮに接続する。例として、ＵＥは、１つの無線インターフェースを用いることにより１つ以上の追加の無線インターフェースを確立するように構成されてもよい。以下では、１つのノードがマスターｅＮＢ（ＭｅＮＢ：ｍａｓｔｅｒ  ｅＮＢ）と呼ばれ、別のノードがセカンダリｅＮＢ（ＳｅＮＢ：ｓｅｃｏｎｄａｒｙ  ｅＮＢ）と呼ばれる。
【００３１】
デュアル接続性においては、セカンダリセルグループ（ＳＣＧ）の追加または修正のためのＲＲＣ手順が定義される。そのうえ、デュアル接続性においてマスターセルグループ（ＭＣＧ：ｍａｓｔｅｒ  ｃｅｌｌ  ｇｒｏｕｐ）とＳＣＧとの間の効率的なデータ無線ベアラ（ＤＲＢ）再設定を達成するためには、効率的なメッセージ交換が必要とされる。
【００３２】
本明細書に開示されるシステムおよび方法の様々な例が図面を参照して以下に記載される。図面中、同様の参照番号は、機能的に類似した要素を示す。本明細書において図面に一般的に記載され、示されるシステムおよび方法は、多種多様に異なった実装に配置し、設計することができるであろう。従って、図面に表現されるようないくつかの実装の以下のさらに詳細な記載は、特許請求の範囲を限定するものではなく、システムおよび方法を単に代表するに過ぎない。
【００３３】
図１は、デュアル接続性オペレーションのためのシステムおよび方法が実装された１つ以上の基地局装置（ｅＮＢ）１６０および１つ以上の端末装置（ＵＥ）１０２の一構成を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、ｅＮＢ１６０から電磁信号を受信する。ｅＮＢ１６０は、１つ以上のアンテナ１８０ａ〜ｎを用いてＵＥ１０２と通信する。
【００３４】
留意すべきは、いくつかの構成において、本明細書に記載されるＵＥ１０２の１つ以上が単一のデバイスに実装されてもよいことである。例えば、複数のＵＥ１０２がいくつかの実装では単一のデバイスに組み合わされてもよい。加えてまたは代わりに、いくつかの構成において、本明細書に記載されるｅＮＢ１６０の１つ以上が単一のデバイスに実装されてもよい。例えば、複数のｅＮＢ１６０がいくつかの実装では単一のデバイスに組み合わされてもよい。図１のコンテキストでは、例として、単一のデバイスが本明細書に記載されるシステムおよび方法による１つ以上のＵＥ１０２を含む。加えてまたは代わりに、本明細書に記載されるシステムおよび方法による１つ以上のｅＮＢ１６０が単一のデバイスまたは複数のデバイスとして実装されてもよい。
【００３５】
ＵＥ１０２およびｅＮＢ１６０は、相互に通信するために１つ以上のチャネル１１９、１２１を用いる。例えば、ＵＥ１０２は、１つ以上の上りリンク・チャネル１２１および信号を用いてｅＮＢ１６０へ情報またはデータを送信する。上りリンク・チャネル１２１の例は、物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）および物理上りリンク共有チャネル（ＰＵＳＣＨ：ｐｈｙｓｉｃａｌ  ｕｐｌｉｎｋ  ｓｈａｒｅｄ  ｃｈａｎｎｅｌ）などを含む。上りリンク信号の例は、復調参照信号（ＤＭＲＳ：ｄｅｍｏｄｕｌａｔｉｏｎ  ｒｅｆｅｒｅｎｃｅ  ｓｉｇｎａｌ）およびサウンディング参照信号（ＳＲＳ：ｓｏｕｎｄｉｎｇ  ｒｅｆｅｒｅｎｃｅ  ｓｉｇｎａｌ）などを含む。１つ以上のｅＮＢ１６０も、例として、１つ以上の下りリンク・チャネル１１９および信号を用いて１つ以上のＵＥ１０２へ情報またはデータを送信する。下りリンク・チャネル１１９の例は、ＰＤＣＣＨ、ＰＤＳＣＨなどを含む。下りリンク信号の例は、プライマリ同期信号（ＰＳＳ：ｐｒｉｍａｒｙ  ｓｙｎｃｈｒｏｎｉｚａｔｉｏｎ  ｓｉｇｎａｌ）、セル固有参照信号（ＣＲＳ：ｃｅｌｌ−ｓｐｅｃｉｆｉｃ  ｒｅｆｅｒｅｎｃｅ  ｓｉｇｎａｌ）およびチャネル状態情報（ＣＳＩ：ｃｈａｎｎｅｌ  ｓｔａｔｅ  ｉｎｆｏｒｍａｔｉｏｎ）参照信号（ＣＳＩ−ＲＳ：ＣＳＩ  ｒｅｆｅｒｅｎｃｅ  ｓｉｇｎａｌ）などを含む。他の種類のチャネルまたは信号を用いてもよい。
【００３６】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、１つ以上のデータバッファ１０４および１つ以上のＵＥオペレーション・モジュール１２４を含む。例えば、ＵＥ１０２では１つ以上の受信および／または送信経路が実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【００３７】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００３８】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ復号信号１０６は、データバッファ１０４に記憶される、受信したペイロード・データを備える。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【００３９】
本明細書では、用語「モジュール」は、特定の要素またはコンポーネントがハードウェア、ソフトウェア、またはハードウェアおよびソフトウェアの組み合わせで実装されてもよいことを意味する。しかしながら、留意すべきは、本明細書に「モジュール」として示される任意の要素が代わりにハードウェアで実装されてもよいことである。例えば、ＵＥオペレーション・モジュール１２４は、ハードウェア、ソフトウェアまたは両方の組み合わせで実装されてもよい。
【００４０】
一般に、ＵＥオペレーション・モジュール１２４は、ＵＥ１０２が１つ以上のｅＮＢ１６０と通信することを可能にする。ＵＥオペレーション・モジュール１２４は、ＵＥ  ＳＣＧ追加／修正モジュール１２６およびＵＥ  ＤＲＢ再マッピング・モジュール１２８のうちの１つ以上を含む。いくつかの実装において、ＵＥオペレーション・モジュール１２４は、物理（ＰＨＹ：ｐｈｙｓｉｃａｌ）エンティティ、ＭＡＣエンティティ、ＲＬＣエンティティ、ＰＤＣＰエンティティおよびＲＲＣエンティティを含む。
【００４１】
ＵＥオペレーション・モジュール１２４は、ＭＣＧ１５５およびＳＣＧ１５７の無線リソースを効率的に利用する利益を提供する。ＳＣＧ１５７が追加されたとき、２つのセルグループが設定される。一方のセルグループがＭＣＧ１５５であり、他方がＳＣＧ１５７である。ＭＣＧ１５５は、ＲＲＣメッセージを交換するためのシグナリング無線ベアラ（ＳＲＢ：ｓｉｇｎａｌｉｎｇ  ｒａｄｉｏ  ｂｅａｒｅｒ）を提供する。ＳＣＧ１５７は、ＭＣＧ１５５経由で追加される。ＭＣＧ１５５は、ＵＥ１０２とマスターｅＮＢ（ＭｅＮＢ）１６０との間の無線接続を提供する。ＳＣＧ１５７は、ＵＥ１０２とセカンダリｅＮＢ（ＳｅＮＢ）１６０との間の無線接続を提供する。
【００４２】
ＵＥ  ＳＣＧ追加／修正モジュール１２６は、ＳＣＧ設定パラメータを含むＲＲＣ接続再設定（ＲＲＣＣｏｎｎｅｃｔｉｏｎＲｅｃｏｎｆｉｇｕｒａｔｉｏｎとも呼ばれる）メッセージを受信する。一実装において、ＵＥ  ＳＣＧ追加／修正モジュール１２６は、ＳＣＧ１５７の追加または修正のためのマスターｅＮＢ（ＭｅＮＢ）１６０からのＲＲＣ接続再設定メッセージを受信する。ＭｅＮＢ１６０は、ＵＥ１０２へＲＲＣ接続再設定メッセージを送信することによって、ＵＥ  ＳＣＧ追加／修正モジュール１２６がＳＣＧ１５７の新しい無線リソース構成を適用するようにトリガする。
【００４３】
ＳＣＧ設定パラメータは、ＳＣＧ１５７におけるセルのためのキャリア周波数、ＳＣＧ１５７におけるセルに関する物理セル・アイデンティティ、ＳＣＧ１５７に関する共通無線リソース構成（ＲａｄｉｏＲｅｓｏｕｒｃｅＣｏｎｆｉｇＣｏｍｍｏｎ）情報要素、ＳＣＧ１５７に関するｎｅｗＵＥ−Ｉｄｅｎｔｉｔｙ情報、ＳＣＧ１５７に関するランダムアクセスチャネル（ＲＡＣＨ：ｒａｎｄｏｍ  ａｃｃｅｓｓ  ｃｈａｎｎｅｌ）−ＣｏｎｆｉｇＤｅｄｉｃａｔｅｄ情報要素、およびＳＣＧ１５７に関するＲａｄｉｏＲｅｓｏｕｒｃｅＣｏｎｆｉｇＤｅｄｉｃａｔｅｄ情報要素のうちのすべて、いくつか、または少なくとも１つを含みうる。ＲａｄｉｏＲｅｓｏｕｒｃｅＣｏｎｆｉｇＣｏｍｍｏｎ情報要素は、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）構成、ＰＵＳＣＨ−ＣｏｎｆｉｇＣｏｍｍｏｎ、ＰＤＳＣＨ−ＣｏｎｆｉｇＣｏｍｍｏｎ、およびＰＵＣＣＨ−ＣｏｎｆｉｇＣｏｍｍｏｎのうちのすべて、いくつか、または少なくとも１つを含みうる。ＲａｄｉｏＲｅｓｏｕｒｃｅＣｏｎｆｉｇＤｅｄｉｃａｔｅｄ情報要素は、ＤＲＢ設定（ｄｒｂ−ＴｏＡｄｄＭｏｄＬｉｓｔ）、ＭＡＣ主要構成（ｍａｃ−ＭａｉｎＣｏｎｆｉｇ）および専用物理構成（ｐｈｙｓｉｃａｌＣｏｎｆｉｇＤｅｄｉｃａｔｅｄ）のうちのすべて、いくつか、または少なくとも１つを含みうる。
【００４４】
ＲＲＣ接続再設定メッセージは、ＳＣＧ設定パラメータがＤＲＢ設定を含まない構造を有しうる。ＤＲＢは、ＵＥ１０２とｅＮＢ１６０との間でイボルブド・パケット・システム（ＥＰＳ）ベアラのパケットを伝送する。ＭｅＮＢ１６０上で確立されたＤＲＢは、ＳＣＧ１５７と関連付けられる。留意すべきは、ＤＲＢ設定がパケットデータコンバージェンスプロトコル（ＰＤＣＰ）設定、無線リンク制御（ＲＬＣ）設定、論理チャネル構成、論理チャネル・アイデンティティおよび／またはＥＰＳベアラ・アイデンティティのうちのすべて、いくつか、または少なくとも１つを含みうることである。留意すべきは、ＤＲＢ設定がＤＲＢ確立、ＤＲＢ再確立、ＤＲＢセットアップ、新しいＤＲＢ設定および／またはＤＲＢ再設定を意味することである。
【００４５】
ＵＥ  ＳＣＧ追加／修正モジュール１２６は、ＲＲＣ接続再設定メッセージを受信したことに応答してＲＲＣ接続再設定手順を行う。ＵＥ  ＳＣＧ追加／修正モジュール１２６は、ＳＣＧ１５７の新しい無線リソース構成を適用し始める。言い換えれば、ＲＲＣ接続再設定メッセージの受信の際に、ＲＲＣ接続再設定メッセージがＳＣＧ１５７の追加または修正のためのＳＣＧ設定パラメータを含む場合、ＵＥ  ＳＣＧ追加／修正モジュール１２６は、ＲＲＣ接続再設定手順を行うかまたは継続する。留意すべきは、ＲＲＣ接続再設定メッセージの受信自体がＲＲＣ接続再設定手順の一部であると見做されてもよいことである。
【００４６】
ＲＲＣ接続再設定手順は、図１０に関連して以下に記載されるように、ＳＣＧ設定パラメータに基づいてＳＣＧ１５７を追加することを含みうる。ＲＲＣ接続再設定手順は、図１１に関連して以下に記載されるように、ＳＣＧ設定パラメータに基づいて確立されたＳＣＧ１５７を修正することも含みうる。
【００４７】
ＳＣＧ設定パラメータがＤＲＢ設定を含まないため、Ｅ−ＵＴＲＡＮは、ＳＣＧ１５７が追加されたときにのみ無線ベアラ（ＲＢ）の確立が含まれるのを保証することに留意すべきである。それゆえに、ＳＣＧ１５７上でＲＢ確立を伴わないＳＣＧ１５７の追加が行われてもよい。
【００４８】
ＵＥ  ＳＣＧ追加／修正モジュール１２６は、ＲＲＣ接続再設定完了メッセージを送信する。ＵＥ  ＳＣＧ追加／修正モジュール１２６は、ＲＲＣ接続再設定完了メッセージをＭｅＮＢ１６０へ送信する。ＲＲＣ接続再設定完了メッセージは、ＵＥ１０２によるＲＲＣ接続再設定の完了をＭｅＮＢ１６０に示す。ＲＲＣ接続再設定完了メッセージは、さらに、ＵＥ１０２によるＳＣＧ１５７の追加または修正の完了をＭｅＮＢ１６０および／または（ＭｅＮＢ１６０を通じて）ＳｅＮＢ１６０に示してもよい。ＲＲＣ接続再設定完了メッセージの一部がＭｅＮＢ１６０からＳｅＮＢ１６０へ転送されてもよい。
【００４９】
一実装において、ＵＥ  ＳＣＧ追加／修正モジュール１２６は、第２のｅＮＢ（例えば、ＳｅＮＢ）１６０へのランダムアクセス手順の結果に関する情報を含むＲＲＣ接続再設定完了メッセージを生成する。ＵＥ  ＳＣＧ追加／修正モジュール１２６は、ランダムアクセス手順をＳｅＮＢ１６０とともにＲＲＣ接続再設定手順の一部として行ってもよい。ランダムアクセス手順に成功した場合、ＲＲＣ接続再設定完了メッセージは、ＳＣＧ１５７上でのランダムアクセス成功に関する情報を含みうる。ランダムアクセス手順がある時間間隔後に首尾よく完了されない場合には、ＲＲＣ接続再設定完了メッセージは、ＳＣＧ１５７上でのランダムアクセス失敗に関する情報を含みうる。ＵＥ  ＳＣＧ追加／修正モジュール１２６は、ＲＲＣ接続再設定完了メッセージを第１のｅＮＢ（例えば、ＭｅＮＢ）１６０へ送信する。
【００５０】
ＵＥ  ＤＲＢ再マッピング・モジュール１２８は、ＭＣＧ１５５上で確立されたＤＲＢをＳＣＧ１５７へ再マッピングする。上記のように、ＲＲＣ接続再設定メッセージは、ＳＣＧ１５７の修正のためのＳＣＧ設定パラメータを含みうる。一実装において、ＳＣＧ１５７の修正のためのＳＣＧ設定パラメータは、ＤＲＢ設定を含みうる。ＤＲＢ設定は、ＭＣＧ１５５上で確立されたＤＲＢをＳＣＧ１５７へ再マッピングするためのＤＲＢ設定パラメータを含みうる。ＤＲＢ設定パラメータは、ＰＤＣＰ設定、ＲＬＣ設定、論理チャネル構成、論理チャネル・アイデンティティおよび／またはＥＰＳベアラ・アイデンティティのうちのすべて、いくつか、または少なくとも１つを含みうる。
【００５１】
ＲＲＣ接続再設定メッセージを受信すると、ＵＥ  ＤＲＢ再マッピング・モジュール１２８は、新しい設定を適用する（すなわち、ＲＲＣ接続再設定メッセージを受信すると、ＵＥ  ＤＲＢ再マッピング・モジュール１２８は、ＲＲＣ接続再設定手順を開始する）。一実装において、ＲＲＣ接続再設定メッセージの受信の際に、ＲＲＣ接続再設定メッセージがＳＣＧ１５７の修正のためのＳＣＧ設定パラメータを含む場合、ＵＥ１０２は、ＲＲＣ接続再設定手順を行うかまたは継続する。
【００５２】
ＵＥ  ＤＲＢ再マッピング・モジュール１２８は、ＭＣＧ１５５上で確立されたＰＤＣＰをＳＣＧ１５７へ再マッピングする。ＭＣＧ１５５上で確立されたＤＲＢに関して、ＵＥ  ＤＲＢ再マッピング・モジュール１２８は、ＰＤＣＰをＳＣＧ１５７へ関連付ける（例えば、再マッピングする）。ＵＥ  ＤＲＢ再マッピング・モジュール１２８は、次に、ＳＣＧ１５７上でＰＤＣＰを再確立する。
【００５３】
ＵＥ  ＤＲＢ再マッピング・モジュール１２８は、ＭＣＧ１５５上で確立されたＲＬＣをＳＣＧ１５７へ再マッピングする。ＭＣＧ１５５上で確立されたＤＲＢに関して、ＵＥ  ＤＲＢ再マッピング・モジュール１２８は、ＲＬＣをＳＣＧ１５７へ関連付ける。ＵＥ  ＤＲＢ再マッピング・モジュール１２８は、次に、ＳＣＧ１５７上でＲＬＣを再確立する。ＰＤＣＰ再確立およびＲＬＣ再確立を行うことによって、ＵＥ１０２は、ＳＣＧ１５７上でＤＲＢを再開する。
【００５４】
ＵＥオペレーション・モジュール１２４は、情報１４８を１つ以上の受信機１２０に提供する。例えば、ＵＥオペレーション・モジュール１２４は、ＲＲＣ接続再設定メッセージに基づいて、送信をいつ受信すべきか、またはいつ受信すべきでないかを受信機（単数または複数）１２０に通知する。
【００５５】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【００５６】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【００５７】
ＵＥオペレーション・モジュール１２４は、情報１４２をエンコーダ１５０に提供する。情報１４２は、符号化すべきデータおよび／または符号化に関する命令を含みうる。例えば、ＵＥオペレーション・モジュール１２４は、送信データ１４６および／または他の情報１４２を符号化するようにエンコーダ１５０に命令する。他の情報１４２は、ＭＣＧ１５５上のＲＲＣ再設定完了メッセージを含みうる。
【００５８】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重などを伴う。エンコーダ１５０は、符号化データ１５２を変調器１５４へ供給する。
【００５９】
ＵＥオペレーション・モジュール１２４は、情報１４４を変調器１５４に提供する。例えば、ＵＥオペレーション・モジュール１２４は、ｅＮＢ１６０への送信に用いるための変調型（例えば、コンステレーション・マッピング）を変調器１５４に通知する。変調器１５４は、１つ以上の変調信号１５６を１つ以上の送信機１５８へ供給するために符号化データ１５２を変調する。
【００６０】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。１つ以上の送信機１５８は、変調信号（単数または複数）１５６を１つ以上のｅＮＢ１６０へアップコンバートして送信する。
【００６１】
ｅＮＢ１６０は、１つ以上のトランシーバ１７６、１つ以上の復調器１７２、１つ以上のデコーダ１６６、１つ以上のエンコーダ１０９、１つ以上の変調器１１３、１つ以上のデータバッファ１６２および１つ以上のｅＮＢオペレーション・モジュール１８２を含む。例えば、ｅＮＢ１６０では１つ以上の受信および／または送信経路が実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【００６２】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２へ供給される。１つ以上の送信機１１７は、１つ以上のアンテナ１８０ａ〜ｎを用いて信号をＵＥ１０２へ送信する。例えば、１つ以上の送信機１１７は、１つ以上の変調信号１１５をアップコンバートして送信する。
【００６３】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される、受信したペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータ（例えば、ＰＵＳＣＨ送信データ）を供給する。
【００６４】
一般に、ｅＮＢオペレーション・モジュール１８２は、ｅＮＢ１６０が１つ以上のＵＥ１０２と通信することを可能にする。ｅＮＢオペレーション・モジュール１８２は、ｅＮＢ  ＳＣＧ追加／修正モジュール１９６およびｅＮＢ  ＤＲＢ再マッピング・モジュール１９８のうちの１つ以上を含む。ｅＮＢオペレーション・モジュール１８２は、ＭＣＧ１５５およびＳＣＧ１５７の無線リソースを効率的に利用する利益を提供する。ｅＮＢオペレーション・モジュール１８２は、ＰＨＹエンティティ、ＭＡＣエンティティ、ＲＬＣエンティティ、ＰＤＣＰエンティティおよびＲＲＣエンティティを含みうる。
【００６５】
ｅＮＢ  ＳＣＧ追加／修正モジュール１９６は、ＲＲＣ接続再設定メッセージをＵＥ１０２へ送信する。ＲＲＣ接続再設定メッセージは、ＲＲＣ接続再設定手順の一部として送信されてもよい。ＲＲＣ接続再設定手順は、ＳＣＧ１５７を追加または修正するために行われる。
【００６６】
ＲＲＣ接続再設定メッセージは、セカンダリセルグループ（ＳＣＧ）設定パラメータを含みうる。ＳＣＧ設定パラメータは、ＳＣＧ１５７の新しい無線リソース構成と関連付けられた情報を含みうる。
【００６７】
ＲＲＣ接続再設定メッセージは、ＳＣＧ設定パラメータがＤＲＢ設定を含まない構造を有しうる。ＳＣＧ設定パラメータがＤＲＢ設定を含まないため、Ｅ−ＵＴＲＡＮは、ＳＣＧ１５７が追加されたときにのみ無線ベアラ（ＲＢ）の確立が含まれることを保証する。それゆえに、ＳＣＧ１５７上でＲＢ確立を伴わないＳＣＧ１５７の追加が行われてもよい。
【００６８】
ｅＮＢ  ＳＣＧ追加／修正モジュール１９６は、ＲＲＣ接続再設定完了メッセージを受信する。ＲＲＣ接続再設定完了メッセージは、ＵＥ１０２によるＲＲＣ接続再設定の完了をｅＮＢ１６０に示す。ＲＲＣ接続再設定完了メッセージは、さらに、ＵＥ１０２によるＳＣＧ１５７の追加または修正の完了をｅＮＢ１６０に示してもよい。
【００６９】
一実装において、ＵＥ１０２は、第２のｅＮＢ（例えば、ＳｅＮＢ）１６０へのランダムアクセス手順の結果に関する情報を含むＲＲＣ接続再設定完了メッセージを生成する。ＵＥ１０２は、ランダムアクセス手順をＳｅＮＢ１６０とともにＲＲＣ接続再設定手順の一部として行ってもよい。ランダムアクセス手順に成功した場合、ＲＲＣ接続再設定完了メッセージは、ＳＣＧ１５７上でのランダムアクセス成功に関する情報を含みうる。ランダムアクセス手順がある時間間隔後に首尾よく完了されない場合には、ＲＲＣ接続再設定完了メッセージは、ＳＣＧ１５７上でのランダムアクセス失敗に関する情報を含みうる。
【００７０】
ｅＮＢ  ＤＲＢ再マッピング・モジュール１９８は、ＵＥ１０２へ送信されるＲＲＣ接続再設定メッセージを生成する。ｅＮＢ  ＤＲＢ再マッピング・モジュール１９８は、ＵＥ１０２へＲＲＣ接続再設定メッセージを送信することによって、ＵＥ１０２がＳＣＧ１５７の新しい無線リソース構成を適用するようにトリガする。
【００７１】
ｅＮＢ  ＤＲＢ再マッピング・モジュール１９８によって生成されたＲＲＣ接続再設定メッセージは、ＳＣＧ１５７の修正のためのＳＣＧ設定パラメータを含みうる。例えば、ＳＣＧ１５７の修正のためのＳＣＧ設定パラメータは、ＤＲＢ設定を含みうる。ＤＲＢ設定は、ＭＣＧ１５５上で確立されたＤＲＢをＳＣＧ１５７へ再マッピングするためのＤＲＢ設定パラメータを含みうる。
【００７２】
ｅＮＢ  ＤＲＢ再マッピング・モジュール１９８は、ＭＣＧ１５５上で確立されたＰＤＣＰがＳＣＧ１５７へ再マッピングされるようにする。例えば、ｅＮＢ１６０からＲＲＣ接続再設定メッセージを受信すると、ＵＥ１０２は、ＭＣＧ１５５上で確立されたＰＤＣＰをＳＣＧ１５７へ再マッピングする。ｅＮＢ  ＤＲＢ再マッピング・モジュール１９８は、さらに、ＰＤＣＰがＳＣＧ１５７上で再確立されるようにする。例えば、ＰＤＣＰをＳＣＧ１５７へ再マッピングすると、ＵＥ１０２は、次に、ＳＣＧ１５７上でＰＤＣＰを再確立する。
【００７３】
ｅＮＢ  ＤＲＢ再マッピング・モジュール１９８は、ＭＣＧ１５５上で確立されたＲＬＣがＳＣＧ１５７へ再マッピングされるようにする。例えば、ｅＮＢ１６０からＲＲＣ接続再設定メッセージを受信すると、ＵＥ１０２は、ＭＣＧ１５５上で確立されたＲＬＣをＳＣＧ１５７へ再マッピングする。ｅＮＢ  ＤＲＢ再マッピング・モジュール１９８は、さらに、ＲＬＣがＳＣＧ１５７上で再確立されるようにする。例えば、ＲＬＣをＳＣＧ１５７へ再マッピングすると、ＵＥ１０２は、次に、ＲＬＣをＳＣＧ１５７上で再確立する。
【００７４】
ｅＮＢオペレーション・モジュール１８２は、情報１９０を１つ以上の受信機１７８に提供する。例えば、ｅＮＢオペレーション・モジュール１８２は、ＲＲＣメッセージに基づいて送信をいつ受信すべきか、またはいつすべきでないかを受信機（単数または複数）１７８に通知する。
【００７５】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【００７６】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【００７７】
ｅＮＢオペレーション・モジュール１８２は、情報１０１をエンコーダ１０９に提供する。情報１０１は、符号化すべきデータおよび／または符号化に関する命令を含む。例えば、ｅＮＢオペレーション・モジュール１８２は、送信データ１０５および／または他の情報１０１を符号化するようにエンコーダ１０９に命令する。
【００７８】
一般に、ｅＮＢオペレーション・モジュール１８２は、ｅＮＢ１６０が１つ以上のネットワークノード（例えばモビリティ管理エンティティ（ＭＭＥ：ｍｏｂｉｌｉｔｙ  ｍａｎａｇｅｍｅｎｔ  ｅｎｔｉｔｙ）、在圏ゲートウェイ（Ｓ−ＧＷ：ｓｅｒｖｉｎｇ  ｇａｔｅｗａｙ）、ｅＮＢ）と通信することを可能にする。ｅＮＢオペレーション・モジュール１８２は、さらに、ＵＥ１０２へシグナリングされることになるＲＲＣ接続再設定メッセージを生成する。ＲＲＣ接続再設定メッセージは、ＳＣＧ１５７の追加修正のためのＳＣＧ設定パラメータを含んでも、含まなくてもよい。ｅＮＢオペレーション・モジュール１８２は、ＵＥ１０２へシグナリングされることになるＲＲＣ接続再設定メッセージを他のｅＮＢ１６０へ送信してもよい。例えば、他のｅＮＢ１６０がＳＣＧ１５７の追加または修正のためのＳＣＧ設定パラメータをコンテナとしてｅＮＢ１６０から受信してもよい。ｅＮＢ１６０は、受信したコンテナを含むＲＲＣ接続再設定メッセージを生成して、そのＲＲＣ接続再設定メッセージをＵＥ１０２へ送信してもよい。ｅＮＢ１６０は、受信したコンテナに含まれるＲＲＣ接続再設定メッセージを単に送信してもよい。
【００７９】
エンコーダ１０９は、送信データ１０５および／またはｅＮＢオペレーション・モジュール１８２によって提供された他の情報１０１を符号化する。例えば、データ１０５および／または他の情報１０１の符号化は、誤り検出および／または訂正符号化、送信のための空間、時間および／または周波数リソースへのデータのマッピング、多重などを伴う。エンコーダ１０９は、符号化データ１１１を変調器１１３へ供給する。送信データ１０５は、ＵＥ１０２へ伝えられることになるネットワークデータを含む。
【００８０】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【００８１】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（またはいつすべきでないか）を１つ以上の送信機１１７に命令する。１つ以上の送信機１１７は、変調信号（単数または複数）１１５を１つ以上のＵＥ１０２へアップコンバートして送信する。
【００８２】
留意すべきは、ｅＮＢ（単数または複数）１６０およびＵＥ（単数または複数）１０２に含まれる要素またはその部分の１つ以上がハードウェアで実装されてもよいことである。例えば、これらの要素またはその部分の１つ以上は、チップ、回路素子またはハードウェア・コンポーネントなどとして実装されてもよい。同様に留意すべきは、本明細書に記載される機能または方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【００８３】
図２は、ＵＥ１０２によってＲＲＣメッセージを受信するための方法２００の一実装を示すフロー図である。デュアル接続性においては、ＳＣＧ１５７の追加および修正のためのＲＲＣ手順が定義される。ＭＣＧ１５５とＳＣＧ１５７との間の効率的なＤＲＢ再設定を達成するためには、効率的なメッセージ交換が必要とされる。ＲＲＣ接続再設定手順は、ＲＲＣ接続を修正するために用いられてもよい。例えば、ＲＲＣ接続再設定手順は、無線ベアラ（ＲＢ）を確立、修正または解除するため；ハンドオーバを行うため；測定をセットアップ、修正または解除するため；セカンダリセル（ＳＣｅｌｌ）を追加、修正、または解除するため；およびＳＣＧ１５７を追加、修正、または解除するために用いられてもよい。ＲＲＣ接続再設定手順の一部として、非アクセス層（ＮＡＳ：ｎｏｎ−ａｃｃｅｓｓ  ｓｔｒａｔｕｍ）専用情報がＥ−ＵＴＲＡＮからＵＥ１０２へ転送されてもよい。
【００８４】
ＵＥ１０２は、ＳＣＧ設定パラメータを含むＲＲＣ接続再設定（ＲＲＣＣｏｎｎｅｃｔｉｏｎＲｅｃｏｎｆｉｇｕｒａｔｉｏｎ）メッセージを受信する（ステップ２０２）。ＲＲＣ接続再設定メッセージは、ｅＮＢ１６０から受信される（ステップ２０２）。一実装において、ＵＥ１０２は、ＳＣＧ１５７の追加または修正のためのマスターｅＮＢ（ＭｅＮＢ）１６０からのＲＲＣ接続再設定メッセージを受信する（ステップ２０２）。ＳＣＧ１５７の追加または修正手順は、セカンダリｅＮＢ（ＳｅＮＢ）１６０と関連付けられた無線リソースを追加または修正することを含みうる。ＭｅＮＢ１６０は、ＲＲＣ接続再設定メッセージをＵＥ１０２へ送信することによって、ＵＥ１０２がＳＣＧ１５７の新しい無線リソース構成を適用するようにトリガする。
【００８５】
ＲＲＣ接続再設定メッセージは、ＤＲＢ設定を含んでも、含まなくてもよい。一実装において、ＲＲＣ接続再設定メッセージは、ＳＣＧ設定パラメータがＤＲＢ設定を含まない構造を有しうる。別の実装では、ＲＲＣ接続再設定メッセージは、ＳＣＧ設定パラメータがＤＲＢ設定を含む構造を有しうる。
【００８６】
ＤＲＢは、ＵＥ１０２とｅＮＢ１６０との間でＥＰＳベアラのパケットを伝送する。ＭｅＮＢ１６０上で確立されたＤＲＢは、ＳＣＧ１５７と関連付けられる。留意すべきは、ＤＲＢ設定がＰＤＣＰ設定、ＲＬＣ設定、論理チャネル構成、論理チャネル・アイデンティティおよび／またはＥＰＳベアラ・アイデンティティのうちのすべて、いくつか、または少なくとも１つを含みうることである。留意すべきは、ＤＲＢ設定がＤＲＢ確立、ＤＲＢ再確立、ＤＲＢセットアップ、新しいＤＲＢ設定および／またはＤＲＢ再設定を意味することである。
【００８７】
ＵＥ１０２は、ＲＲＣ接続再設定メッセージを受信したことに応答してＲＲＣ接続再設定手順を行う（ステップ２０４）。ＵＥ１０２は、ＳＣＧ１５７の新たな無線リソース構成を適用し始める。言い換えれば、ＲＲＣ接続再設定メッセージの受信の際に、ＲＲＣ接続再設定メッセージがＳＣＧ１５７の追加または修正のためのＳＣＧ設定パラメータを含む場合、ＵＥ１０２は、ＲＲＣ接続再設定手順を行うかまたは継続する。
【００８８】
ＲＲＣ接続再設定手順は、ＳＣＧ設定パラメータに基づいてＳＣＧ１５７を追加することを含みうる。これは、図１０に関連して以下に記載されるように達成される。ＲＲＣ接続再設定手順は、ＳＣＧ設定パラメータに基づいて確立されたＳＣＧ１５７を修正することも含みうる。これは、図１１に関連して以下に記載されるように達成される。
【００８９】
ＳＣＧ設定パラメータがＤＲＢ設定を含まないため、Ｅ−ＵＴＲＡＮは、ＳＣＧ１５７が追加されたときにのみ無線ベアラ（ＲＢ）の確立が含まれるのを保証することに留意すべきである。それゆえに、ＳＣＧ１５７上でＲＢ確立を伴わないＳＣＧ１５７の追加が行われてもよい。
【００９０】
ＵＥ１０２は、ＲＲＣ接続再設定完了メッセージを送信する（ステップ２０６）。例えば、ＵＥ  １０２は、ＲＲＣ接続再設定完了メッセージをＭｅＮＢ１６０へ送信する（ステップ２０６）。ＲＲＣ接続再設定完了メッセージは、ＵＥ１０２によるＲＲＣ接続再設定の完了をＭｅＮＢ１６０に示す。ＲＲＣ接続再設定完了メッセージは、さらに、ＵＥ１０２によるＳＣＧ１５７の追加または修正の完了をＭｅＮＢ１６０および／または（ＭｅＮＢ１６０を通じて）ＳｅＮＢ１６０に示してもよい。
【００９１】
一実装において、ＵＥ１０２は、第２のｅＮＢ（例えば、ＳｅＮＢ）１６０へのランダムアクセス手順の結果に関する情報を含むＲＲＣ接続再設定完了メッセージを生成する。ＵＥ１０２は、ランダムアクセス手順をＳｅＮＢ１６０とともにＲＲＣ接続再設定手順の一部として行ってもよい。ランダムアクセス手順に成功した場合、ＲＲＣ接続再設定完了メッセージは、ＳＣＧ１５７上でのランダムアクセス成功に関する情報を含みうる。ランダムアクセス手順がある時間間隔後に首尾よく完了されない場合には、ＲＲＣ接続再設定完了メッセージは、ＳＣＧ１５７上でのランダムアクセス失敗に関する情報を含みうる。ＵＥ１０２は、ＲＲＣ接続再設定完了メッセージを第１のｅＮＢ（例えば、ＭｅＮＢ）１６０へ送信する。
【００９２】
図３は、ｅＮＢ１６０によってＲＲＣメッセージを送信するための方法３００の一実装を示すフロー図である。ＲＲＣメッセージは、デュアル接続性オペレーションの一部であってもよい。特に、ＲＲＣメッセージは、ＲＲＣ接続再設定手順の一部であるＲＲＣ接続再設定（ＲＲＣＣｏｎｎｅｃｔｉｏｎＲｅｃｏｎｆｉｇｕｒａｔｉｏｎ）メッセージであってもよい。ｅＮＢ１６０は、ＭｅＮＢ１６０であってもよい。ＲＲＣ接続再設定手順は、ＳＣＧ１５７を追加または修正するために行われる。ＳＣＧ１５７の追加または修正手順は、ＳｅＮＢ１６０と関連付けられた無線リソースを追加または修正することを含みうる。
【００９３】
ｅＮＢ１６０は、ＲＲＣ接続再設定メッセージを送信する（ステップ３０２）。ｅＮＢ１６０は、ＲＲＣ接続再設定メッセージをＵＥ１０２へ送信する（ステップ３０２）。
【００９４】
ＲＲＣ接続再設定メッセージは、ＳＣＧ設定パラメータを含みうる。ＳＣＧ設定パラメータは、ＳＣＧ１５７の新しい無線リソース構成と関連付けられた情報を含みうる。
【００９５】
ＲＲＣ接続再設定メッセージは、ＳＣＧ設定パラメータがＤＲＢ設定を含まない構造を有しうる。ＳＣＧ設定パラメータがＤＲＢ設定を含まないため、Ｅ−ＵＴＲＡＮは、ＳＣＧ１５７が追加されたときにのみ無線ベアラ（ＲＢ）の確立が含まれることを保証する。それゆえに、ＳＣＧ１５７上でＲＢ確立を伴わないＳＣＧ１５７の追加が行われてもよい。
【００９６】
ｅＮＢ１６０は、ＲＲＣ接続再設定完了メッセージを受信する（ステップ３０４）。ＲＲＣ接続再設定完了メッセージは、ＵＥ１０２によるＲＲＣ接続再設定の完了をＭｅＮＢ１６０に示す。ＲＲＣ接続再設定完了メッセージは、さらに、ＵＥ１０２によるＳＣＧ１５７の追加または修正の完了をＭｅＮＢ１６０および／または（ＭｅＮＢ１６０を通じて）ＳｅＮＢ１６０に示してもよい。
【００９７】
一実装において、ＵＥ１０２は、第２のｅＮＢ（例えば、ＳｅＮＢ）１６０へのランダムアクセス手順の結果に関する情報を含むＲＲＣ接続再設定完了メッセージを生成する。ＵＥ１０２は、ランダムアクセス手順をＳｅＮＢ１６０とともにＲＲＣ接続再設定手順の一部として行ってもよい。ランダムアクセス手順に成功した場合、ＲＲＣ接続再設定完了メッセージは、ＳＣＧ１５７上でのランダムアクセス成功に関する情報を含みうる。ランダムアクセス手順がある時間間隔後に首尾よく完了されない場合には、ＲＲＣ接続再設定完了メッセージは、ＳＣＧ１５７上でのランダムアクセス失敗に関する情報を含みうる。ＵＥ１０２は、ＲＲＣ接続再設定完了メッセージを第１のｅＮＢ（例えば、ＭｅＮＢ）１６０へ送信する。
【００９８】
図４は、ＵＥ１０２によってＲＲＣメッセージを受信するための方法４００の別の実装を示すフロー図である。方法４００は、ＳｅＮＢ修正手順（ＳＣＧ修正手順とも呼ばれる）の一部として行われてもよい。
【００９９】
ＵＥ１０２は、ＲＲＣ接続再設定（ＲＲＣＣｏｎｎｅｃｔｉｏｎＲｅｃｏｎｆｉｇｕｒａｔｉｏｎ）メッセージをｅＮＢ１６０から受信する（ステップ４０２）。ＭｅＮＢ１６０は、ＲＲＣ接続再設定メッセージをＵＥ１０２へ送信することによって、ＵＥ１０２がＳＣＧ１５７の新しい無線リソース構成を適用するようにトリガする。
【０１００】
ＲＲＣ接続再設定メッセージは、ＳＣＧ１５７の修正のためのＳＣＧ設定パラメータを含みうる。言い換えれば、ＲＲＣ接続再設定メッセージは、ＳＣＧ設定パラメータがＤＲＢ設定を含むケースと、ＳＣＧ設定パラメータがＤＲＢ設定を含まないケースとの間で切り替えるための構造を有しうる。例えば、ＳＣＧ１５７の修正のためのＳＣＧ設定パラメータは、ＤＲＢ設定を含みうる。ＤＲＢ設定は、ＭＣＧ１５５上で確立されたＤＲＢをＳＣＧ１５７へ再マッピングするためのＤＲＢ設定パラメータを含みうる。ＤＲＢ設定パラメータは、ＰＤＣＰ設定、ＲＬＣ設定、論理チャネル構成、論理チャネル・アイデンティティおよび／またはＥＰＳベアラ・アイデンティティのうちのすべて、いくつか、または少なくとも１つを含みうる。
【０１０１】
ＲＲＣ接続再設定メッセージを受信すると（ステップ４０２）、ＵＥ１０２は、新しい設定を適用する（すなわち、ＲＲＣ接続再設定メッセージを受信すると、ＵＥ１０２は、ＲＲＣ接続再設定手順を開始する）。言い換えれば、ＲＲＣ接続再設定メッセージの受信の際に、ＲＲＣ接続再設定メッセージがＳＣＧ１５７の修正のためのＳＣＧ設定パラメータを含む場合、ＵＥ１０２は、ＲＲＣ接続再設定手順を行うかまたは継続する。
【０１０２】
ＵＥ１０２は、ＭＣＧ１５５上で確立されたＰＤＣＰをＳＣＧ１５７へ再マッピングする（ステップ４０４）。ＭＣＧ１５５上で確立されたＤＲＢに関して、ＵＥ１０２は、ＰＤＣＰをＳＣＧ１５７へ関連付ける（例えば、再マッピングする）。ＵＥ１０２は、次に、ＳＣＧ１５７上でＰＤＣＰを再確立する（ステップ４０６）。
【０１０３】
ＵＥ１０２は、ＭＣＧ１５５上で確立されたＲＬＣをＳＣＧ１５７へ再マッピングする（ステップ４０８）。ＭＣＧ１５５上で確立されたＤＲＢに関して、ＵＥ１０２は、ＲＬＣをＳＣＧ１５７へ関連付ける。ＵＥ１０２は、次に、ＳＣＧ１５７上でＲＬＣを再確立する（ステップ４１０）。ＰＤＣＰ再確立およびＲＬＣ再確立を行うことによって、ＵＥ１０２は、ＳＣＧ１５７上でＤＲＢを再開する。
【０１０４】
図５は、ｅＮＢ１６０によってＲＲＣメッセージを送信するための方法５００の別の実装を示すフロー図である。方法５００は、ＳｅＮＢ修正手順（ＳＣＧ修正手順とも呼ばれる）の一部として行われてもよい。
【０１０５】
ｅＮＢ１６０は、ＲＲＣ接続再設定メッセージをＵＥ１０２へ送信する（ステップ５０２）。一実装において、ｅＮＢ１６０は、ＭｅＮＢ１６０であってもよい。ｅＮＢ１６０は、ＲＲＣ接続再設定メッセージをＵＥ１０２へ送信すること（ステップ５０２）によって、ＵＥ１０２がＳＣＧ１５７の新しい無線リソース構成を適用するようにトリガする。
【０１０６】
ＲＲＣ接続再設定メッセージは、ＳＣＧ１５７の修正のためのＳＣＧ設定パラメータを含みうる。言い換えれば、ＲＲＣ接続再設定メッセージは、ＳＣＧ設定パラメータがＤＲＢ設定を含むケースと、ＳＣＧ設定パラメータがＤＲＢ設定を含まないケースとの間で切り替えるための構造を有しうる。例えば、ＳＣＧ１５７の修正のためのＳＣＧ設定パラメータは、ＤＲＢ設定を含みうる。ＤＲＢ設定は、ＭＣＧ１５５上で確立されたＤＲＢをＳＣＧ１５７へ再マッピングするためのＤＲＢ設定パラメータを含みうる。ＤＲＢ設定パラメータは、ＰＤＣＰ設定、ＲＬＣ設定、論理チャネル構成、論理チャネル・アイデンティティおよび／またはＥＰＳベアラ・アイデンティティのうちのすべて、いくつか、または少なくとも１つを含みうる。
【０１０７】
ＲＲＣ接続再設定メッセージを受信すると、ＵＥ１０２は、新しい設定を適用する（すなわち、ＲＲＣ接続再設定メッセージを受信すると、ＵＥ１０２は、ＲＲＣ接続再設定手順を開始する）。言い換えれば、ＲＲＣ接続再設定メッセージの受信の際に、ＲＲＣ接続再設定メッセージがＳＣＧ１５７の修正のためのＳＣＧ設定パラメータを含む場合、ＵＥ１０２は、ＲＲＣ接続再設定手順を行うかまたは継続する。
【０１０８】
ｅＮＢ１６０は、ＭＣＧ１５５上で確立されたＰＤＣＰがＳＣＧ１５７へ再マッピングされるようにする（ステップ５０４）。ｅＮＢ１６０からＲＲＣ接続再設定メッセージを受信すると、ＵＥ１０２は、ＭＣＧ１５５上で確立されたＰＤＣＰをＳＣＧ１５７へ再マッピングする。ＭＣＧ１５５上で確立されたＤＲＢに関して、ＵＥ１０２は、ＰＤＣＰをＳＣＧ１５７へ関連付ける（例えば、再マッピングする）。
【０１０９】
ｅＮＢ１６０は、ＰＤＣＰがＳＣＧ１５７上で再確立されるようにする（ステップ５０６）。例えば、ＰＤＣＰをＳＣＧ１５７へ再マッピングすると、ＵＥ１０２は、次に、ＳＣＧ１５７上でＰＤＣＰを再確立する。
【０１１０】
ｅＮＢ１６０は、ＭＣＧ１５５上で確立されたＲＬＣがＳＣＧ１５７へ再マッピングされるようにする（ステップ５０８）。ｅＮＢ１６０からＲＲＣ接続再設定メッセージを受信すると、ＵＥ１０２は、ＭＣＧ１５５上で確立されたＲＬＣをＳＣＧ１５７へ再マッピングする。ＭＣＧ１５５上で確立されたＤＲＢに関して、ＵＥ１０２は、ＲＬＣをＳＣＧ１５７へ関連付ける。
【０１１１】
ｅＮＢ１６０は、ＲＬＣがＳＣＧ１５７上で再確立されるようにする（ステップ５１０）。例えば、ＲＬＣをＳＣＧ１５７へ再マッピングすると、ＵＥ１０２は、次に、ＲＬＣをＳＣＧ１５７上で再確立する。
【０１１２】
図６は、デュアル接続性オペレーションのためのシステムおよび方法が実装されたＥ−ＵＴＲＡＮアーキテクチャ６２１の構成を示すブロック図である。図６に関連して記載されるＵＥ６０２は、図１に関連して記載されたＵＥ１０２に従って実装される。図６に関連して記載されるｅＮＢ６６０ａ〜ｂは、図１に関連して記載されたｅＮＢ１６０に従って実装される。
【０１１３】
マルチ接続性のためのＥ−ＵＴＲＡＮアーキテクチャ６２１は、デュアル接続性をＵＥ６０２に提供するＥ−ＵＴＲＡＮアーキテクチャの一例である。この構成では、ＵＥ６０２は、Ｕｕインターフェース６３９およびＵｕｘインターフェース６４１経由でＥ−ＵＴＲＡＮ６３３に接続する。Ｅ−ＵＴＲＡＮ６３３は、第１のｅＮＢ６６０ａおよび第２のｅＮＢ６６０ｂを含む。ｅＮＢ６６０ａ〜ｂは、Ｅ−ＵＴＲＡユーザプレーン（ＰＤＣＰ／ＲＬＣ／ＭＡＣ／ＰＨＹ）および制御プレーン（ＲＲＣ）プロトコル終端をＵＥ６０２に提供する。ｅＮＢ６６０ａ〜ｂは、Ｘ２インターフェース６３７によって相互接続される。Ｓ１インターフェース６２９、６３１は、ＭＭＥ６３４、在圏ゲートウェイ６２７とｅＮＢ６６０ａ〜ｂとの間の多対多関係をサポートする。第１のｅＮＢ（例えば、ＭｅＮＢ）６６０ａおよび第２のｅＮＢ（例えば、ＳｅＮＢ）６６０ｂは、Ｓ１−ＭＭＥ６２９および／またはＸ２インターフェース６３７と同じであってもなくてもよい１つ以上のＸインターフェース６３５によっても相互接続される。
【０１１４】
ｅＮＢ６６０は、様々な機能をホスティングする。例えば、ｅＮＢ６６０は、無線リソース管理のための機能（例えば、無線ベアラ制御、無線受付制御、接続モビリティ制御、上りリンクおよび下りリンクの両方（のスケジューリング）におけるリソースのＵＥ６０２への動的アロケーション）をホスティングする。ｅＮＢ６６０は、ユーザデータストリームのＩＰヘッダ圧縮および暗号化；ＵＥ６０２によって提供された情報からＭＭＥ６３４へのルーティングを確定できないときのＵＥ６０２のアタッチメントにおけるＭＭＥ６３４の選択；ならびにユーザプレーン・データの在圏ゲートウェイ６２７へのルーティングも行う。加えて、ｅＮＢ６６０は、（ＭＭＥ６３４から生じた）ページング・メッセージのスケジューリングおよび送信；（ＭＭＥまたは運用保守（Ｏ＆Ｍ：ｏｐｅｒａｔｉｏｎ  ａｎｄ  ｍａｉｎｔｅｎａｎｃｅ）から生じた）ブロードキャスト情報のスケジューリングおよび送信；モビリティおよびスケジューリングに関する測定ならびに測定報告設定；および（ＭＭＥ６３４から生じた）（地震および津波警報システム（ＥＴＷＳ：ｅａｒｔｈｑｕａｋｅ  ａｎｄ  ｔｓｕｎａｍｉ  ｗａｒｎｉｎｇ  ｓｙｓｔｅｍ）ならびに商用携帯警報システム（ＣＭＡＳ：ｃｏｍｍｅｒｃｉａｌ  ｍｏｂｉｌｅ  ａｌｅｒｔ  ｓｙｓｔｅｍ）を含む）公衆警報システム（ＰＷＳ：ｐｕｂｌｉｃ  ｗａｒｎｉｎｇ  ｓｙｓｔｅｍ）メッセージのスケジューリングおよび送信を行う。ｅＮＢ６６０は、さらに、上りリンクでのクローズド・サブスクライバ・グループ（ＣＳＧ：ｃｌｏｓｅｄ  ｓｕｂｓｃｒｉｂｅｒ  ｇｒｏｕｐ）処理およびトランスポートレベルのパケット・マーキングを行う。
【０１１５】
ＭＭＥ６３４は、様々な機能をホスティングする。例えば、ＭＭＥ６３４は、非アクセス層（ＮＡＳ）シグナリング；ＮＡＳシグナリング・セキュリティ；アクセス層（ＡＳ：ａｃｃｅｓｓ  ｓｔｒａｔｕｍ）セキュリティ制御；３ＧＰＰアクセス・ネットワーク間モビリティに関するコアネットワーク（ＣＮ：ｃｏｒｅ  ｎｅｔｗｏｒｋ）ノード間シグナリング；ならびに（ページング再送信の制御および実行を含む）アイドルモードＵＥリーチャビリティを行う。ＭＭＥ６３４は、（アイドルおよびアクティブモードにおけるＵＥ６０２に対する）トラッキングエリア・リスト管理；パケットデータ・ネットワーク・ゲートウェイ（ＰＤＮ  ＧＷ：ｐａｃｋｅｔ  ｄａｔａ  ｎｅｔｗｏｒｋ  ｇａｔｅｗａｙ）およびＳ−ＧＷ選択；ＭＭＥ６３４変更を伴うハンドオーバのためのＭＭＥ６３４選択；ならびに２Ｇまたは３Ｇ  ３ＧＰＰアクセス・ネットワークへのハンドオーバのための在圏ＧＰＲＳサポート・ノード（ＳＧＳＮ：Ｓｅｒｖｉｎｇ  ＧＰＲＳ  Ｓｕｐｐｏｒｔ  Ｎｏｄｅ）選択も行う。加えて、ＭＭＥ６３４は、ローミング、認証、および（専用ベアラ確立を含む）ベアラ管理機能をホスティングする。ＭＭＥ６３４は、（ＥＴＷＳおよびＣＭＡＳを含む）ＰＷＳメッセージ送信にサポートを提供し、随意的にページング最適化を行う。
【０１１６】
Ｓ−ＧＷ６２７は、以下の機能もホスティングする。Ｓ−ＧＷ６２７は、ｅＮＢ６６０間ハンドオーバのためのローカル・モビリティ・アンカーポイントをホスティングする。Ｓ−ＧＷ６２７は、３ＧＰＰ間モビリティに関するモビリティ・アンカリング；Ｅ−ＵＴＲＡＮアイドルモード下りリンク・パケット・バッファリングおよびネットワークによりトリガされるサービス・リクエスト手順の開始；合法的傍受；ならびにパケット・ルーティングおよびフォワーディングを行う。Ｓ−ＧＷ６２７は、上りリンクおよび下りリンクでのトランスポートレベルのパケット・マーキング；事業者間課金のためのユーザおよびＱｏＳクラス識別子（ＱＣＩ：ＱｏＳ  Ｃｌａｓｓ  Ｉｄｅｎｔｉｆｉｅｒ）粒度に対するアカウンティング；ならびにＵＥ６０２、パケットデータネットワーク（ＰＤＮ：ｐａｃｋｅｔ  ｄａｔａ  ｎｅｔｗｏｒｋ）およびＱＣＩごとの上りリンク（ＵＬ：ｕｐｌｉｎｋ）および下りリンク（ＤＬ：ｄｏｗｎｌｉｎｋ）課金も行う。
【０１１７】
Ｅ−ＵＴＲＡＮ６３３の無線プロトコル・アーキテクチャは、ユーザプレーンおよび制御プレーンを含む。ユーザプレーン・プロトコルスタックは、ＰＤＣＰ、ＲＬＣ、ＭＡＣおよびＰＨＹサブレイヤを含む。（ネットワーク上のｅＮＢ６６０ａで終端された）ＰＤＣＰ、ＲＬＣ、ＭＡＣおよびＰＨＹサブレイヤは、ユーザプレーンのための機能（例えば、ヘッダ圧縮、暗号化、スケジューリング、ＡＲＱおよびＨＡＲＱ）を行う。ＰＤＣＰエンティティは、ＰＤＣＰサブレイヤ内に位置する。ＲＬＣエンティティは、ＲＬＣサブレイヤ内に位置する。ＭＡＣエンティティは、ＭＡＣサブレイヤ内に位置する。ＰＨＹエンティティは、ＰＨＹサブレイヤ内に位置する。
【０１１８】
制御プレーンは、制御プレーン・プロトコルスタックを含む。（ネットワーク側のｅＮＢ６６０ａで終端された）ＰＤＣＰサブレイヤは、制御プレーンのための機能（例えば、暗号化およびインテグリティ・プロテクション）を行う。（ネットワーク側のｅＮＢで終端された）ＲＬＣおよびＭＡＣサブレイヤは、ユーザプレーンの場合と同じ機能を行う。（ネットワーク側のｅＮＢ６６０ａで終端された）ＲＲＣは、次の機能を行う。ＲＲＣは、ブロードキャスト機能、ページング、ＲＲＣ接続管理、無線ベアラ（ＲＢ）制御、モビリティ機能、ＵＥ６０２測定報告および制御を行う。（ネットワーク側のＭＭＥ６３４で終端された）ＮＡＳ制御プロトコルは、とりわけ、イボルブド・パケット・システム（ＥＰＳ）ベアラ管理、認証、イボルブド・パケット・システム接続管理（ＥＣＭ：ｅｖｏｌｖｅｄ  ｐａｃｋｅｔ  ｓｙｓｔｅｍ  ｃｏｎｎｅｃｔｉｏｎ  ｍａｎａｇｅｍｅｎｔ）−ＩＤＬＥモビリティ処理、ＥＣＭ−ＩＤＬＥでのページング発信およびセキュリティ制御を行う。
【０１１９】
第１のｅＮＢ６６０ａおよび第２のｅＮＢ６６０ｂは、Ｓ１インターフェース６２９、６３１によってＥＰＣ６２３に接続される。第１のｅＮＢ６６０ａは、Ｓ１−ＭＭＥインターフェース６２９によってＭＭＥ６３４に接続される。一構成において、第２のｅＮＢ６６０ｂは、（破線で示されるように）Ｓ１−Ｕインターフェース６３１によって在圏ゲートウェイ６２７に接続される。第１のｅＮＢ６６０ａは、第２のｅＮＢ６６０ｂに対してＭＭＥ６３４として振舞い、第２のｅＮＢ６６０ｂのためのＳ１−ＭＭＥインターフェース６２９が第１のｅＮＢ６６０ａと第２のｅＮＢ６６０ｂとの間に（例として、Ｘインターフェース６３５経由で）接続される。したがって、第１のｅＮＢ６６０ａは、第２のｅＮＢ６６０ｂには（Ｓ１−ＭＭＥインターフェース６２９に基づく）ＭＭＥ６３４および（Ｘ２インターフェース６３７に基づく）ｅＮＢ６６０であるように見える。
【０１２０】
別の構成では、第１のｅＮＢ６６０ａも（破線で示されるように）Ｓ１−Ｕインターフェース６３１によって在圏ゲートウェイ６２７に接続されてもよい。それゆえに、第２のｅＮＢ６６０ｂは、ＥＰＣ６２３に接続されなくてもよい。第１のｅＮＢ６６０ａは、第２のｅＮＢ６６０ｂには（Ｓ１−ＭＭＥインターフェース６２９に基づく）ＭＭＥ６３４、（Ｘ２インターフェース６３７に基づく）ｅＮＢ、および（Ｓ１−Ｕインターフェース６３１に基づく）Ｓ−ＧＷ６２７であるように見える。このアーキテクチャ６２１は、第１のｅＮＢ６６０ａおよび第２のｅＮＢ６６０ｂにＥＰＣ６２３との単一ノードＳ１インターフェース６２９、６３１（例えば接続）を提供する。ＥＰＣ６２３、ＭＭＥ６３４  Ｓ−ＧＷ６２７との単一ノード接続によって、ＵＥ６０２が第１のｅＮＢ６６０ａのカバレッジ内にある限り、変更（例えばハンドオーバ）を軽減できるであろう。
【０１２１】
図７は、デュアル接続性オペレーションのためのシステムおよび方法が実装されたＥ−ＵＴＲＡＮ７３３およびＵＥ７０２の一構成を示すブロック図である。図７に関連して記載されるＵＥ７０２およびＥ−ＵＴＲＡＮ７３３は、図１および６のうちの少なくとも１つに関連して記載された対応する要素に従って実装される。
【０１２２】
従来のキャリアアグリゲーションでは、単一のｅＮＢ７６０がＵＥ７０２に複数の在圏セル７５１を提供すると想定する。２つ以上のセル７５１がアグリゲートされる（例えば、１つのマクロセルが複数のリモートラジオヘッド（ＲＲＨ）セル７５１とアグリゲートされる）シナリオであっても、これらのセル７５１は、単一のｅＮＢ７６０によって制御される（例えば、スケジュールされる）。しかしながら、スモールセル配備のシナリオでは、各ｅＮＢ７６０（例えばノード）がそれ自体の独立したスケジューラを有しうる。ｅＮＢ７６０ａ〜ｂの両方の無線リソースを利用するために、ＵＥ７０２は、両方のｅＮＢ７６０ａ〜ｂに接続してもよい。
【０１２３】
キャリアアグリゲーションが設定されるとき、ＵＥ７０２は、ネットワークとの１つのＲＲＣ接続を有しうる。無線インターフェースがキャリアアグリゲーションを提供する。ＲＲＣ接続確立、再確立およびハンドオーバの間に、１つの在圏セル７５１がＮＡＳモビリティ情報（例えば、トラッキングエリア・アイデンティティ（ＴＡＩ：ｔｒａｃｋｉｎｇ  ａｒｅａ  ｉｄｅｎｔｉｔｙ））を提供する。ＲＲＣ接続再確立およびハンドオーバの間に、１つの在圏セル７５１がセキュリティ入力を提供する。このセル７５１は、プライマリセル（ＰＣｅｌｌ）と呼ばれる。下りリンクでは、ＰＣｅｌｌに対応するコンポーネントキャリアが下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）であり、一方で上りリンクではＰＣｅｌｌに対応するコンポーネントキャリアが上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）である。
【０１２４】
ＵＥ７０２の能力に依存して、ＰＣｅｌｌとともに在圏セル７５１ａ〜ｆのセットを形成するために１つ以上のＳＣｅｌｌが設定される。下りリンクでは、ＳＣｅｌｌに対応するコンポーネントキャリアが下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  ｃａｒｒｉｅｒ）であり、一方で上りリンクではＳＣｅｌｌに対応するコンポーネントキャリアが上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）である。
【０１２５】
ＵＥ７０２のための在圏セル７５１ａ〜ｆの構成セットは、それゆえに、１つのＰＣｅｌｌおよび１つ以上のＳＣｅｌｌからなる。ＳＣｅｌｌごとに、ＵＥ７０２による（下りリンク・リソースに加えて）上りリンク・リソースの使用法を設定できる。設定されるＤＬ  ＳＣＣの数は、ＵＬ  ＳＣＣの数以上であってもよく、上りリンク・リソースのみの使用のためにＳｃｅｌｌが何も設定されなくてもよい。
【０１２６】
ＵＥ７０２の観点から、各上りリンク・リソースは、１つの在圏セル７５１に属する。設定される在圏セル７５１の数は、ＵＥ７０２のアグリゲーション能力に依存する。ＰＣｅｌｌは、ハンドオーバ手順を用いて（例えば、セキュリティ・キー変更およびランダムアクセスチャネル（ＲＡＣＨ）手順によって）のみ変更される。ＰＣｅｌｌは、ＰＵＣＣＨの送信に用いられる。ＳＣｅｌｌとは異なり、ＰＣｅｌｌは、非アクティブ化されない。再確立は、ＰＣｅｌｌが無線リンク障害（ＲＬＦ：ｒａｄｉｏ  ｌｉｎｋ  ｆａｉｌｕｒｅ）を経験したときにトリガされ、ＳＣｅｌｌがＲＬＦを経験したときにはトリガされない。そのうえ、ＮＡＳ情報は、ＰＣｅｌｌから取得される。
【０１２７】
ＳＣｅｌｌの再設定、追加および除去は、ＲＲＣ７５９によって行われる。ＬＴＥ内ハンドオーバの際にも、ＲＲＣ７５９は、ターゲットＰＣｅｌｌとともに用いるためにＳＣｅｌｌを追加、除去または再設定する。新しいＳＣｅｌｌを追加するときに、ＳＣｅｌｌのすべての所要のシステム情報を送信するために専用ＲＲＣシグナリングが用いられてもよい（例えば、接続モード中に、ＵＥ７０２がブロードキャストされたシステム情報をＳＣｅｌｌから直接に得る必要はない）。
【０１２８】
しかしながら、異なるスケジューラを有する両方のｅＮＢ７６０に接続するためには、ＵＥ７０２とＥ−ＵＴＲＡＮ７３３との間のデュアル接続性が必要とされる。リリース１１のオペレーションに加えて、リリース１２に従って動作するＵＥ７０２は、デュアル接続性（マルチ接続性、ノード間キャリアアグリゲーション、ノード間無線アグリゲーション、マルチフロー、マルチセル・クラスタ、マルチＵｕなどとも称される）を用いて構成される。
【０１２９】
ＵＥ７０２は、設定されていれば、複数のＵｕインターフェース６３９、６４１を用いてＥ−ＵＴＲＡＮ７３３に接続する。例えば、ＵＥ７０２は、１つの無線インターフェース（無線接続７５３）を用いることにより追加の無線インターフェース（例えば、無線接続７５３）を確立するように構成される。以下では、１つのｅＮＢ７６０がマスターｅＮＢ（ＭｅＮＢ）７６０ａと呼ばれ、プライマリｅＮＢ（ＰｅＮＢ）とも呼ばれる。別のｅＮＢ７６０は、セカンダリｅＮＢ（ＳｅＮＢ）７６０ｂと呼ばれる。（プライマリＵｕインターフェースと称される）Ｕｕインターフェース６３９は、ＵＥ７０２とＭｅＮＢ７６０ａとの間の無線インターフェースである。（セカンダリＵｕインターフェースと称される）Ｕｕｘインターフェース６４１は、ＵＥ７０２とＳｅＮＢ７６０ｂとの間の無線インターフェースである。
【０１３０】
一構成において、ＵＥ７０２は、ＵＥ７０２がＥ−ＵＴＲＡＮ７３３との複数のＵｕインターフェース６３９、６４１（すなわち、ＭＣＧ１５５およびＳＣＧ１５７）を認識している限り、ＭｅＮＢ７６０ａおよびＳｅＮＢ６６０ｂを認識している必要はない。さらに、Ｅ−ＵＴＲＡＮ７３３が同じかまたは異なるｅＮＢ７６０との複数のＵｕインターフェースを提供してもよい。
【０１３１】
一構成において、ＭｅＮＢ７６０ａとＳｅＮＢ７６０ｂとを同じｅＮＢ７６０とすることができるであろう。単一のｅＮＢ７６０であっても複数のＵｕインターフェース６３９、６４１（例えば、デュアル接続性）を達成できる。ＵＥ７０２は、１つより多いＵｕｘインターフェース６４１（例えば、Ｕｕ１、Ｕｕ２、Ｕｕ３…）を接続することが可能である。各Ｕｕインターフェース６３９、６４１がキャリアアグリゲーションを有しうる。それゆえに、ＵＥ７０２は、ＣＡのケースでは１つより多い在圏セル７５１のセットを用いて構成されてもよい。デュアル接続性（すなわち２つのセット）において、在圏セル７５１の１つのセットがＭＣＧ７５５であり、在圏セルの別のセットがＳＣＧ７５７である。
【０１３２】
本明細書では複数のＵｕインターフェース６３９、６４１が記載されるが、Ｕｕインターフェース６３９の定義によっては、この機能性を単一のＵｕインターフェース６３９によって実現できるであろう。デュアル接続性は、インターフェースの定義によっては、単一のＵｕインターフェース６３９または単一の無線インターフェースによって実現されてもよい。無線インターフェースをＵＥ７０２とｅＮＢ７６０との間のインターフェースではなく、ＵＥ７０２とＥ−ＵＴＲＡＮ７３３との間のインターフェースとして定義できる。例えば、１つの無線インターフェースをデュアル接続性を用いたＵＥ７０２とＥ−ＵＴＲＡＮ７３３との間のインターフェースとして定義できる。それゆえに、上記のＵｕ６３９とＵｕｘ６４１との間の相違がセル７５１の特性であると見做されてもよい。Ｕｕインターフェース６３９およびＵｕｘインターフェース６４１がそれぞれセル（単数または複数）のセットＡおよびセル（単数または複数）のセットＢと言い換えられてもよい。さらに、無線インターフェースおよび追加の無線インターフェースをそれぞれマスターセルグループ（ＭＣＧ）７５５およびセカンダリセルグループ（ＳＣＧ）７５７と言い換えることができる。
【０１３３】
いくつかの実装において、Ｅ−ＵＴＲＡＮ７３３は、ＭｅＮＢ７６０ａおよびＳｅＮＢ７６０ｂを含む。ＵＥ７０２は、第１の無線接続７５３ａ経由でＭｅＮＢ７６０ａと通信する。ＵＥ７０２は、第２の無線接続７５３ｂ経由でＳｅＮＢ７６０ｂと通信する。図７は、１つの第１の無線接続７５３ａおよび１つの第２の無線接続７５３ｂを示すが、ＵＥ７０２は、１つの第１の無線接続７５３ａおよび１つ以上の第２の無線接続７５３ｂを用いて構成されてもよい。ＭｅＮＢ７６０ａおよびＳｅＮＢ７６０ｂは、図１に関連して記載されたｅＮＢ１６０に従って実装される。
【０１３４】
ＭｅＮＢ７６０ａは、１つ以上のＵＥ７０２への接続のために複数のセル７５１ａ〜ｃを提供する。例えば、ＭｅＮＢ７６０ａは、セルＡ７５１ａ、セルＢ７５１ｂおよびセルＣ７５１ｃを提供する。同様に、ＳｅＮＢ７６０ｂは、複数のセル７５１ｄ〜ｆを提供する。ＵＥ７０２は、第１の無線接続７５３ａ（例えば、マスターセルグループ（ＭＣＧ）７５５）のための１つ以上のセル（例えば、セルＡ７５１ａ、セルＢ７５１ｂおよびセルＣ７５１ｃ）上で送信／受信するように構成される。ＵＥ７０２は、第２の無線接続７５３ｂ（例えば、セカンダリセルグループ７５７）のための１つ以上の他のセル（例えば、セルＤ７５１ｄ、セルＥ７５１ｅおよびセルＦ７５１ｆ）上でも送信／受信するように構成される。
【０１３５】
ＭＣＧ７５５は、１つのＰＣｅｌｌおよび１つ以上の随意的なＳＣｅｌｌ（単数または複数）を含みうる。ＳＣＧ７５７は、１つのＰＣｅｌｌ類似セル（ＰＣｅｌｌ、プライマリＳＣｅｌｌ（ＰＳＣｅｌｌ）、セカンダリＰＣｅｌｌ（ＳＰＣｅｌｌ）、ＰＣｅｌｌｓｃｇ、ＳＣＧ  ＰＣｅｌｌなどと称される）および１つ以上の随意的なＳＣｅｌｌ（単数または複数）を含みうる。ＵＥ７０２が無線接続７５３ａ〜ｂのための複数のセル７５１ａ〜ｆ上で送信／受信するように構成される場合、無線接続７５３ａ〜ｂにキャリアアグリゲーション・オペレーションが適用される。一構成において、各無線接続７５３は、プライマリセル、および０、１つまたはそれ以上のセカンダリセル（単数または複数）を用いて構成される。別の構成では、少なくとも１つの無線接続７５３がプライマリセル、および０、１つまたはそれ以上のセカンダリセル（単数または複数）を用いて構成され、他の無線接続７５３が１つ以上のセカンダリセル（単数または複数）を用いて構成される。さらに別の構成では、少なくとも１つの無線接続７５３がプライマリセル、および０、１つまたはそれ以上のセカンダリセル（単数または複数）を用いて構成され、他の無線接続７５３がＰＣｅｌｌ類似セル、および０、１つまたはそれ以上のセカンダリセル（単数または複数）を用いて構成される。
【０１３６】
１つのＭＡＣエンティティ７６１および１つのＰＨＹエンティティ７６３が１つのセルグループへマッピングされる。例えば、第１のＭＡＣエンティティ７６１ａおよび第１のＰＨＹエンティティ７６３ａがＭＣＧ７５５へマッピングされる。同様に、第２のＭＡＣエンティティ７６１ｂおよび第２のＰＨＹエンティティ７６３ｂがＳＣＧ７５７へマッピングされる。ＵＥ７０２は、１つのＭＣＧ７５５（例えば、第１の無線接続７５３ａ）、および随意的に１つ以上のＳＣＧ（単数または複数）７５７（例えば、第２の接続７５３ｂ）を用いて構成される。
【０１３７】
ＭｅＮＢ７６０ａは、第１の無線接続７５３ａに係るＵＥコンテキストを管理し、記憶する。ＵＥコンテキストとは、ＵＥ７０２のための構成セル７５１に関するＵＥ７０２ごとのＲＲＣコンテキスト（例えば構成、構成セル７５１、セキュリティ情報など）、ＱｏＳ情報およびＵＥ７０２アイデンティティである。例えば、ＭｅＮＢ７６０ａは、第１のＵＥコンテキスト７４３ａ、第２のＵＥコンテキスト７４５および第３のＵＥコンテキスト７４７を管理し、記憶する。
【０１３８】
ＳｅＮＢ７６０ｂは、ＵＥ７０２のための構成セル７５１に関してＵＥ７０２ごとに第２の無線接続７５３ｂに係るＵＥコンテキストを管理し、記憶する。例えば、ＳｅＮＢ７６０ｂは、第１のＵＥコンテキスト７４３ｂおよび第４のＵＥコンテキスト７４９を管理し、記憶する。ｅＮＢ７６０は、ＭｅＮＢ７６０ａおよびＳｅＮＢ７６０ｂの両方として振舞うことができる。それゆえに、ｅＮＢ７６０は、第１の無線接続７５３ａに接続されたＵＥ７０２に係るＵＥコンテキスト、および第２の無線接続７５３ｂに接続されたＵＥ７０２に係るＵＥコンテキストを管理し、記憶する。
【０１３９】
いくつかの実装において、ＭＡＣエンティティ７６１ａ〜ｂは、ＲＲＣエンティティ７５９とのインターフェースを有しうる。ＲＲＣエンティティ７５９は、Ｅ−ＵＴＲＡＮ７３３の（図示されない）ＲＲＣエンティティからＲＲＣメッセージ（例えば、ＲＲＣ接続再設定メッセージ、接続制御メッセージ、ハンドオーバ・コマンドなど）を受信する。ＲＲＣエンティティ７５９は、さらに、Ｅ−ＵＴＲＡＮ７３３の（図示されない）ＲＲＣエンティティへＲＲＣメッセージ（例えば、ＲＲＣ接続再設定完了メッセージ）を送信する。
【０１４０】
図８は、第１のユーザプレーン（ＵＰ）アーキテクチャ８６５ａおよび第２のＵＰアーキテクチャ８６５ｂを示すブロック図である。図８に関連して記載されるＵＥ８０２およびｅＮＢ８６０は、図１および６のうちの少なくとも１つに関連して記載された対応する要素に従って実装される。
【０１４１】
第１のＵＰアーキテクチャ８６５ａにおいて、Ｓ１−Ｕインターフェース８３１は、ＭｅＮＢ８６０ａおよびＳｅＮＢ８６０ｂで終端する。ＤＲＢのためのＭｅＮＢ８６０ａのＵＰは、ＰＤＣＰエンティティ８６７ａ、ＲＬＣエンティティ８６９ａ、およびＭＡＣエンティティ８６１ａを含む。ＤＲＢのためのＳｅＮＢ８６０ｂのＵＰは、ＰＤＣＰエンティティ８６７ｂ、ＲＬＣエンティティ８６９ｂおよびＭＡＣエンティティ８６１ｂを含む。ＤＲＢのためのＵＥ８０２ａのＭＣＧ８５５は、ＰＤＣＰ８２７ａエンティティ、ＲＬＣ８２９ａエンティティ、およびＭＡＣ８２１ａエンティティを含む。ＤＲＢのためのＵＥ８０２ａのＳＣＧ８５７は、ＰＤＣＰ８２７ｂエンティティ、ＲＬＣ８２９ｂエンティティ、およびＭＡＣ８２１ｂを含む。第１のＵＰアーキテクチャ８６５ａにおいて、ＭｅＮＢ８６０ａのＰＤＣＰ８６７ａは、ＳｅＮＢ８６０ｂのＰＤＣＰ８６７ｂとは独立している。言い換えれば、第１のＵＰアーキテクチャ８６５ａにはベアラスプリットが何も存在しない。
【０１４２】
第２のＵＰアーキテクチャ８６５ｂにおいて、Ｓ１−Ｕインターフェース８３１は、ＭｅＮＢ８６０ｃで終端する。ＭｅＮＢ８６０ｃのＵＰは、第１のＰＤＣＰ８６７ｃおよび第２のＰＤＣＰ８６７ｄ、第１のＲＬＣ８６９ｃおよび第２のＲＬＣ８６９ｄ、ならびに第１のＭＡＣ８６１ｃおよび第２のＭＡＣ８６１ｄを含む。第１のＰＤＣＰ８６７ｃおよび第１のＲＬＣ８６９ｃは、第１のＤＲＢ用である。第２のＰＤＣＰ８６７ｄおよび第２のＲＬＣ８６９ｄは、第２のＤＲＢ用である。ＳｅＮＢ８６０ｂのＵＰは、ＲＬＣ８６９ｅおよびＭＡＣ８６１ｅを含む。ＤＲＢのためのＵＥ８０２ａのＭＣＧ８５５は、ＰＤＣＰ８２７ｃエンティティ、ＲＬＣ８２９ｃエンティティ、およびＭＡＣ８２１ｃエンティティを含む。ＤＲＢのためのＵＥ８０２ａのＳＣＧ８５７は、ＰＤＣＰ８２７ｅエンティティ、ＲＬＣ８２９ｅエンティティ、およびＭＡＣ８２１ｅを含む。第１のＰＤＣＰ８２７ｃおよび第１のＲＬＣ８２９ｃは、第１のＤＲＢ用である。第２のＰＤＣＰ８２７ｄおよび第２のＲＬＣ８２９ｄ、ならびにＲＬＣ８２９ｅは、第２のＤＲＢ用である。第２のＵＰアーキテクチャ８６５ｂにおいて、ＭｅＮＢ８６０ｃの第２のＰＤＣＰ８６７ｄは、Ｘ２インターフェース８３７経由でＳｅＮＢ８６０ｂにおけるＲＬＣ８６９ｅに結合される。言い換えれば、第２のＵＰアーキテクチャ８６５ｂではベアラスプリットが存在する。しかしながら、第２のＵＰアーキテクチャ８６５ｂは、ベアラプリットに対して独立したＲＬＣ８６９を有する。
【０１４３】
競合しないランダムアクセス手順および競合ベースのランダムアクセス手順の両方がＳｅＮＢ８６０ｂ，ｄに対してサポートされる。ランダムアクセス応答メッセージは、ランダムアクセスプリアンブルの送信先となったｅＮＢ８６０から送信される。ランダムアクセスプリアンブルの送信がオーバーラップしなければ、並行したランダムアクセス手順がサポートされる。物理ランダムアクセスチャネル（ＰＲＡＣＨ）のリソースをネットワーク側で調整する必要は何もない。
【０１４４】
ＭｅＮＢ８６０ａ，ｃ（例えば、ＭＣＧ７５５）およびＳｅＮＢ８６０ｂ，ｄ（例えば、ＳＣＧ７５７）の両方のＭＡＣエンティティ８６１に対して、ランダムアクセス手順がＰＤＣＣＨ指令によるか、またはＭＡＣサブレイヤ自体によって開始される。これがＳＣＧ７５７のＭＡＣエンティティであれば、ランダムアクセス手順がさらにＲＲＣ指令によって同様に開始されてもよい。
【０１４５】
ＳＣｅｌｌ上でのランダムアクセス手順は、ＰＤＣＣＨ指令によってのみ開始される。ＵＥ１０２が、そのＣ−ＲＮＴＩでマスクされ、特定の在圏セル７５１に関するＰＤＣＣＨ指令に適合したＰＤＣＣＨ送信を受信した場合、ＵＥ１０２は、その在圏セル上でのランダムアクセス手順を開始する。
【０１４６】
ＰＣｅｌｌおよびＰＣｅｌｌ類似セル上でのランダムアクセスに関して、ＰＤＣＣＨ指令またはＲＲＣは、ｒａ−ＰｒｅａｍｂｌｅＩｎｄｅｘおよびｒａ−ＰＲＡＣＨ−ＭａｓｋＩｎｄｅｘを随意的に示す。ＳＣｅｌｌ上でのランダムアクセスに関しては、ＰＤＣＣＨ指令は、００００００とは異なる値をもつｒａ−ＰｒｅａｍｂｌｅＩｎｄｅｘ、およびｒａ−ＰＲＡＣＨ−ＭａｓｋＩｎｄｅｘを示す。ＰＲＡＣＨ上でのｐＴＡＧプリアンブル送信およびＰＤＣＣＨ指令の受信がＰＣｅｌｌおよびＰＣｅｌｌ類似セルに関してサポートされる。
【０１４７】
ベアラがＭｅＮＢ８６０ａ，ｃまたはＳｅＮＢ８６０ｂ，ｄのいずれかへマッピングされるｅＮＢ８６０固有ベアラに関して、ＵＥ１０２は、その固有ベアラに関するＢＳＲ情報を対応するベアラが属するｅＮＢ８６０に向けて送信する。ＭｅＮＢ８６０ａ，ｃとＳｅＮＢ８６０ｂ，ｄとでは別々の間欠受信（ＤＲＸ：ｄｉｓｃｏｎｔｉｎｕｏｕｓ  ｒｅｃｅｐｔｉｏｎ）設定がサポートされてもよく、ＭｅＮＢ８６０ａ，ｃとＳｅＮＢ８６０ｂ，ｄとでは別々のＤＲＸオペレーション（例えば、タイマおよびアクティブ時間）が許可されるべきである。ＵＥ電力消費の観点から、ＤＲＸ調整は、ＵＥ１０２の電力消費に対して有益であろう。
【０１４８】
アクティブ化および非アクティブ化がＳＣＧ７５７に対してサポートされる。ＭｅＮＢ８６０ａ，ｃは、ＭｅＮＢ８６０ａ、ｃと関連付けられたセル７５１をアクティブ化および非アクティブ化できる。ＳｅＮＢ８６０ｂ，ｄは、ＳｅＮＢ８６０ｂ，ｄと関連付けられたセル７５１をアクティブ化および非アクティブ化できる。ＵＥ１０２のＭＡＣエンティティ７６１は、セルグループごとに設定されてもよい（例えば、ＭＣＧ７５５に対して１つのＭＡＣ７６１およびＳＣＧ７５７に対して他のＭＡＣ７６１）。
【０１４９】
一構成において、キャリアアグリゲーションのためのＵＥ１０２ごとの在圏セル７５１の最大数は５である。キャリアアグリゲーションがＭｅＮＢ８６０ａ，ｃおよびＳｅＮＢ８６０ｂ，ｄにおいてサポートされる。言い換えれば、ＭｅＮＢ８６０ａ，ｃおよびＳｅＮＢ８６０ｂ，ｄは、１つのＵＥ１０２に対して複数の在圏セル７５１を有しうる。デュアル接続性においては、ＵＥ１０２が１つのＭｅＮＢ８６０ａ，ｃおよび１つのＳｅＮＢ８６０ｂ，ｄへ接続される。タイミングアドバンスグループ（ＴＡＧ：ｔｉｍｉｎｇ  ａｄｖａｎｃｅ  ｇｒｏｕｐ）は、１つのｅＮＢ８６０のセル７５１を備えるに過ぎない。一構成において、キャリアアグリゲーションのためのＵＥ１０２ごとのＴＡＧの最大数は４である。一構成において、ＭＣＧ７５５およびＳＣＧ７５７は、同じかまたは異なる複信方式のいずれかで動作してもよい。
【０１５０】
ＳｅＮＢ８６０ｂ，ｄは、少なくともＰＵＣＣＨ機能性を含み、潜在的にいくつかの他のＰＣｅｌｌ機能性も含んだ１つのスペシャルセル７５１（例えば、ＰＣｅｌｌ類似セル）を有しうる。しかしながら、スペシャルセル７５１に対してすべてのＰＣｅｌｌ機能性を繰り返す必要はない。ＳＣＧ７５７におけるスペシャルセル７５１に関しては、ＳｅＮＢ８６０ｂ，ｄにＮＡＳセキュリティおよびＮＡＳモビリティ機能を提供する必要はない。ＳｅＮＢ８６０ｂ，ｄでは少なくとも１つのセル７５１が設定されたＵＬを有し、１つのセル７５１がＰＵＣＣＨリソースを用いて構成される。
【０１５１】
ＳｅＮＢ８６０ｂ，ｄにおいてＰＵＣＣＨを運ばないセル７５１上では無線リンク・モニタリング（ＲＬＭ：ｒａｄｉｏ  ｌｉｎｋ  ｍｏｎｉｔｏｒｉｎｇ）を何も必要としない。無線リンク障害（ＲＬＦ）がサポートされる場合、ＳＣＧ７５７のいずれのセル７５１のＲＬＦもＲＲＣ接続再確立をトリガしない。ＰＵＣＣＨリソースを用いて構成されたＳｅＮＢ８６０ｂ，ｄにおけるセル７５１は、クロスキャリアスケジュールされない。
【０１５２】
第１のＵＰアーキテクチャ８６５ａおよび第２のユーザプレーン・アーキテクチャ８６５ｂは、ＲＲＣ設定によって実装される。異なる設定のためのプロトコルスタックの差異は、限定的とすべきである。例として、ＰＤＣＰ−ＳｅＮＢの新しい仕様が導入されるべきでない。一構成において、ＵＥ１０２のいくつかのベアラは、（第２のＵＰアーキテクチャ８６５ｂにおけるように）スプリットされてもよく、一方で他のベアラは、ＭｅＮＢ８６０ａ，ｃによってのみサービスされる。別の構成では、ＵＥ１０２のいくつかのベアラは、（第１のＵＰアーキテクチャ８６５ａにおけるように）ＳｅＮＢ８６０ｂ，ｄによってサービスされてもよく、一方で他のベアラは、ＭｅＮＢ８６０ａ，ｃによってのみサービスされる。ＲＬＣステータスＰＤＵは、対応するＵｕインターフェース６３９またはＵｕｘインターフェース６４１経由で対応するｅＮＢ８６０へ送信される。
【０１５３】
図９は、ＳｅＮＢ９６０ｂの追加および修正９００の一構成を示すスレッド図である。図９に関連して記載されるＵＥ９０２は、図１に関連して記載されたＵＥ１０２に従って実装される。図９に関連して記載されるＭｅＮＢ９６０ａおよびＳｅＮＢ９６０ｂは、図１に関連して記載されたｅＮＢ１６０に従って実装される。図９は、デュアル接続性オペレーションのためのＳｅＮＢ９６０ｂのリソースの追加および修正（例えば、ＳＣＧ１５７追加）に関する全体的なシグナリング方式を示す。このシグナリング方式が追加シグナリング方式と修正シグナリング方式との間の類似性を示すことに留意すべきである。第１のＵＰアーキテクチャ８６５ａにのみ関連するＳ１−ＭＭＥ６２９およびＸ２  ６３７のシグナリングが破線で示される（ステップ９１１、９１３および９２１〜９２５）。Ｓ−ＧＷ９２７は、変化しないことを想定する。
【０１５４】
ＭｅＮＢ９６０ａは、固有Ｅ−ＵＴＲＡＮ無線アクセスベアラ（Ｅ−ＲＡＢ：Ｅ−ＵＴＲＡＮ  ｒａｄｉｏ  ａｃｃｅｓｓ  ｂｅａｒｅｒ）のための無線リソースを追加または修正するようにＳｅＮＢ９６０ｂにリクエストすることを決定する（ステップ９０１ａ）。無線リソースを追加または修正するようにＳｅＮＢ９６０ｂにリクエストする決定（ステップ９０１ａ）は、無線リソース管理（ＲＲＭ：ｒａｄｉｏ  ｒｅｓｏｕｒｃｅ  ｍａｎａｇｅｍｅｎｔ）決定であってもよい。代わりに、ＳｅＮＢ９６０ｂが固有Ｅ−ＲＡＢのための無線リソースを修正することを決定してもよい（ステップ９０１ｂ）。無線リソースを修正する決定（ステップ９０１ｂ）は、ＲＲＭ決定であってもよい。一実装において、ＳｅＮＢ９６０ｂおよびＭｅＮＢ９６０ａは、ＵＥ９０２の能力を超過しないことを保証するために連携する。
【０１５５】
ＭｅＮＢ９６０ａがＳｅＮＢ９６０ｂの追加または修正を開始する場合、ＭｅＮＢ９６０ａは、無線リソースを割り当てるかまたは修正するためのＳｅＮＢ追加／修正リクエストをＳｅＮＢ９６０ｂへ送信する（ステップ９０３）。ＳｅＮＢ追加／修正リクエストは、Ｅ−ＲＡＢ特性（例えば、ＵＰアーキテクチャ８６５に対応するＥ−ＲＡＢパラメータおよびトランスポートネットワークレイヤ（ＴＮＬ：ｔｒａｎｓｐｏｒｔ  ｎｅｔｗｏｒｋ  ｌａｙｅｒ）アドレス情報）、ＵＥ９０２の能力、ＵＥ９０２の現在の無線リソース構成などを含みうる。ＳｅＮＢ９６０ｂのＲＲＭは、リソース・リクエストを許可するかどうかを決定する（ステップ９０５）。ＳｅＮＢ９６０ｂにおけるＲＲＭエンティティがリソース・リクエストを許可することが可能である場合には、ＳｅＮＢ９６０ｂは、（ＵＰアーキテクチャ８６５に基づいて）各無線リソースおよび各トランスポートネットワークリソースを構成する。ＳｅＮＢ９６０ｂは、さらに、ＳｅＮＢ９６０ｂの無線リソース構成の同期が行われるようにＵＥ９０２のための専用ＲＡＣＨプリアンブルを割り当てる。
【０１５６】
ＳｅＮＢ９６０ｂは、ＳｅＮＢ追加／修正コマンドをＭｅＮＢ９６０ａへ送信する（ステップ９０７）。例えば、ＳｅＮＢ９６０ｂは、新しい無線リソース構成をＭｅＮＢ９６０ａに提供する。第１のＵＰアーキテクチャ８６５ａに関して、ＳｅＮＢ追加／修正コマンドは、各Ｅ−ＲＡＢに関するＳ１インターフェースＤＬ  ＴＮＬアドレス情報を含みうる。第２のＵＰアーキテクチャ８６５ｂに関しては、ＳｅＮＢ追加／修正コマンドは、Ｘ２インターフェースＤＬ  ＴＮＬアドレス情報を含みうる。
【０１５７】
ＭｅＮＢ９６０ａは、新しい無線リソース構成を承認して、ＵＥ９０２がそれを適用するようにトリガする。ＭｅＮＢ９６０ａは、ＲＲＣ接続再設定メッセージ（例えば、ＳＣＧ１５７の追加のためのＳＣＧ設定パラメータを含むＲＲＣ接続再設定メッセージ）をＵＥ９０２へ送信する（ステップ９０９）。ＵＥ９０２は、新しい無線リソース構成を適用し始める。
【０１５８】
第１のＵＰアーキテクチャ８６５ａのケースでは、ＭｅＮＢ９６０ａは、各Ｅ−ＲＡＢ特性に依存して、デュアル接続性のアクティブ化に起因するサービス中断を最小限に抑えるための措置を講ずる。ＭｅＮＢ９６０ａは、シーケンス番号（ＳＮ：ｓｅｑｕｅｎｃｅ  ｎｕｍｂｅｒ）ステータス報告をＳｅＮＢ９６０ｂへ送信する（ステップ９１１）。ＭｅＮＢ９６０ａは、ＳｅＮＢ９６０ｂへデータ・フォワーディングを行う（ステップ９１３）。一構成において、第１のＵＰアーキテクチャ８６５ａに関するデータ・フォワーディングのために確立されたＵＰリソースが明示的に開放されてもよい。
【０１５９】
再設定手順を完了すると、ＵＥ９０２は、ＲＲＣ接続再設定完了メッセージをＭｅＮＢ９６０ａへ送信する（ステップ９１５）。ＵＥ９０２は、ＳｅＮＢ９６０ｂのセル７５１への同期を行う。例えば、ＵＥ９０２は、必要に応じて、ＳｅＮＢ９６０ｂとともにランダムアクセス手順を行う（ステップ９１７）。ＲＲＣ接続再設定完了メッセージは、同期手順の後か、または同期手順の前に送信されてもよい（ステップ９１５）。第２のＵＰアーキテクチャ８６５ｂのケースでは、ＳｅＮＢ９６０ｂからＵＥ９０２へのユーザプレーン・データの送信は、同期手順に依存してステップ９１５または９１７の後に発生する。
【０１６０】
ＳｅＮＢ９６０ｂは、ＳｅＮＢ追加／修正完了メッセージをＭｅＮＢ９６０ａへ送信する（ステップ９１９）。ＳｅＮＢ９６０ｂは、ＵＥ９０２との同期の検出をＭｅＮＢ９６０ａに報告し、新しい設定が使用中であることを確認する。ＭｅＮＢ９６０ａによるＳｅＮＢ追加／修正完了メッセージの受信は、Ｘ２インターフェース上でのＳｅＮＢ追加／修正手順全体を首尾よく完了させる。ステップ９１９は、上記の通りかまたは逆方向（ＭｅＮＢ９６０ａからＳｅＮＢ９６０ｂ）のいずれかの必要がある。
【０１６１】
第１のＵＰアーキテクチャ８６５ａのケースでは、ＥＰＣ６２３へのＵＰ経路の更新が行われてもよい。ＭｅＮＢ９６０ａは、Ｅ−ＲＡＢ修正指標をＭＭＥ９３４へ送信する（ステップ９２１）。ＭＭＥ９３４およびＳ−ＧＷ９２７は、ベアラ修正を行う（ステップ９２３）。ＭＭＥ９３４は、Ｅ−ＲＡＢ修正確認をＭｅＮＢ９６０ａへ送信する（ステップ９２５）。
【０１６２】
図１０は、ＲＲＣ接続再設定手順の一構成を示すスレッド図である。特に、図１０は、ＳｅＮＢ１０６０ｂ追加（ＳＣＧ１０５７追加とも呼ばれる）手順の一例を示す。図１０に関連して記載されるＵＥ１００２は、図１に関連して記載されたＵＥ１０２に従って実装される。図１０に関連して記載されるＭｅＮＢ１０６０ａおよびＳｅＮＢ１０６０ｂは、図１に関連して記載されたｅＮＢ１６０に従って実装される。この例では、第１のデータ無線ベアラ（ＤＲＢ１）１０７５ａおよび第２のデータ無線ベアラ（ＤＲＢ２）１０７５ｂがＵＥ側１０７１およびネットワーク側１０７３で確立されていることを想定する。
【０１６３】
ＭｅＮＢ１０６０ａは、固有Ｅ−ＲＡＢのための無線リソースを追加するようにＳｅＮＢ１０６０ｂにリクエストすることを決定する（ステップ１００１）。例えば、ＭｅＮＢ１０６０ａは、ＳｅＮＢ１０６０ｂの同期を追加するＲＲＭ決定を行う。ＭｅＮＢ１０６０ａは、無線リソースを割り当てるかまたは修正するためのＳｅＮＢ追加リクエストをＳｅＮＢ１０６０ｂへ送信する（ステップ１００３）。
【０１６４】
ＳｅＮＢ１０６０ｂは、ＳｅＮＢ追加コマンドをＭｅＮＢ１０６０ａへ送信する（ステップ１００５）。ＳｅＮＢ追加コマンドは、新しい無線リソース構成をＭｅＮＢ１０６０ａに提供する。
【０１６５】
ＭｅＮＢ１０６０ａは、ＳｅＮＢ１０６０ｂの新しい無線リソース構成を承認する。ＭｅＮＢ１０６０ａは、ＲＲＣ接続再設定（ＲＲＣＣｏｎｎｅｃｔｉｏｎＲｅｃｏｎｆｉｇｕｒａｔｉｏｎ）メッセージをＵＥ１００２へ送信すること（ステップ１００７）によって、ＵＥ１００２がＳｅＮＢ１０６０ｂの新しい無線リソース構成を適用するようにトリガする。ＲＲＣ接続再設定メッセージは、ＳＣＧ１０５７の追加のためのＳＣＧ設定パラメータを含みうる。
【０１６６】
ＲＲＣ接続再設定メッセージを受信すると、ＵＥ１００２は、新しい設定を適用し始める。言い換えれば、ＲＲＣ接続再設定メッセージの受信の際に、ＲＲＣ接続再設定メッセージがＳＣＧ１０５７の追加のためのＳＣＧ設定パラメータを含み、ＵＥ１００２がこのメッセージに含まれた設定に適合できる場合、ＵＥ１００２は、ＲＲＣ接続再設定手順を行うかまたは継続する。ＳＣＧ設定パラメータを含んだＲＲＣ接続再設定手順は、ｍｏｂｉｌｉｔｙＣｏｎｔｒｏｌＩｎｆｏを含み、かつＳＣＧ設定パラメータを含まないＲＲＣ接続再設定手順、あるいは、ｍｏｂｉｌｉｔｙＣｏｎｔｒｏｌＩｎｆｏを含まず、かつＳＣＧ設定パラメータを含まないＲＲＣ接続再設定手順とは異なってもよい。ＲＲＣ接続再設定メッセージの構造は、ＵＥ１００２がどちらの手順に従うべきかを識別できる。
【０１６７】
一実装において、ＲＲＣ接続再設定メッセージは、ＳＣＧ設定パラメータがＤＲＢ１０７５設定を含まない構造を有する。ＤＲＢ１０７５設定は、ＰＤＣＰ８２７設定、ＲＬＣ８２９設定、論理チャネル構成、論理チャネル・アイデンティティおよび／またはＥＰＳベアラ・アイデンティティのうちのすべて、いくつか、または少なくとも１つを含みうる。
【０１６８】
Ｅ−ＵＴＲＡＮ無線アクセス・ベアラ（Ｅ−ＲＡＢ）は、ＵＥ１００２とＥＰＣ６２３との間でＥＰＳベアラのパケットを伝送する。Ｅ−ＲＡＢが存在するとき、このＥ−ＲＡＢとＥＰＳベアラとの間に１対１のマッピングがある。データ無線ベアラは、ＵＥ１００２とｅＮＢ１０６０との間でＥＰＳベアラのパケットを伝送する。データ無線ベアラが存在するとき、このデータ無線ベアラとＥＰＳベアラ／Ｅ−ＲＡＢとの間に１対１のマッピングがある。ＤＲＢ１０７５設定がこのステップには含められない。この例では、Ｅ−ＵＴＲＡＮ５３３は、ＳＣＧ１０５７が追加されたときにのみＲＢ（例えば、ＳＣＧ１０５７に対してＳＲＢが設定されないため、ＤＲＢ１０７５）の確立が含まれることを保証する。それゆえに、ＳＣＧ１０５７上でのＲＢ確立を伴わないＳＣＧ１０５７の追加が行われる。
【０１６９】
ＵＥ１００２は、ＳＣＧ１０５７のターゲットセルのＤＬへの同期を開始する。ＳＣＧ１０５７のターゲットセルは、ＰＣｅｌｌ類似セル、プライマリＳＣｅｌｌ（ＰＳＣｅｌｌ）、セカンダリＰＣｅｌｌ（ＳＰＣｅｌｌ）、ＰＣｅｌｌｓｃｇ、ＳＣＧ  ＰＣｅｌｌなどとも呼ばれる。ＵＥ１０２は、ＳＣＧ１０５７のＭＡＣ７６１エンティティを確立する。ＵＥ１００２は、ＳＣＧ１０５７のためのセル無線ネットワーク一時識別子（Ｃ−ＲＮＴＩ：ｃｅｌｌ−ｒａｄｉｏ  ｎｅｔｗｏｒｋ  ｔｅｍｐｏｒａｒｙ  ｉｄｅｎｔｉｆｉｅｒ）としてｎｅｗＵＥ−Ｉｄｅｎｔｉｔｙの値を適用する。
【０１７０】
ＵＥ１００２は、受信したＳＣＧ１０５７のためのＲＲＣ共通（例えば、ｒａｄｉｏＲｅｓｏｕｒｃｅＣｏｎｆｉｇＣｏｍｍｏｎ）メッセージに従ってＳＣＧ１０５７の下位レイヤを構成する。ＵＥ１００２は、受信したＳＣＧ設定パラメータ中に含まれるいずれかの追加フィールドに従ってＳＣＧ１０５７の下位レイヤを構成してもよい。例えば、ＳＣＧ設定パラメータ中に随意的に含まれる、ＲＡＣＨ−ＣｏｎｆｉｇＤｅｄｉｃａｔｅｄがＳＣＧ１０５７のためのＭＡＣ７６１エンティティに提供されてもよい。ＲＲＣ接続再設定メッセージがｒａｄｉｏＲｅｓｏｕｒｃｅＣｏｎｆｉｇＤｅｄｉｃａｔｅｄパラメータを含む場合、ＵＥ１００２は、無線リソース構成手順を行う。ＳｅＮＢ１０６０ｂではＲＢが確立されないため、図９からのＳＮステータス転送ステップ９１１およびデータ・フォワーディング・ステップ９１３が削除されることに留意すべきである。
【０１７１】
ＵＥ１００２は、ＳｅＮＢ１０６０ｂのターゲットセル（例えば、ＰＣｅｌｌ類似セル）への同期のためにＳｅＮＢ１０６０ｂへのランダムアクセス手順を行う（ステップ１００９）。ＳｅＮＢ１０６０ｂへのランダムアクセス手順は、ＲＲＣ接続再設定手順の一部であってもよい。ランダムアクセス手順は、ＳＣＧ１０５７のＭＡＣ７６１によって行われる（ステップ１００９）。
【０１７２】
ＵＥ１００２は、ＲＲＣ接続再設定完了（ＲＲＣＣｏｎｎｅｃｔｉｏｎＲｅｃｏｎｆｉｇｕｒａｔｉｏｎＣｏｍｐｌｅｔｅ）メッセージをＭｅＮＢ１０６０ａへ送信する（ステップ１０１１）。ＳＣＧ１０５７のＭＡＣ７６１がランダムアクセス手順を首尾よく完了した後、ＵＥ１００２は、再設定手順を完了する。ＵＥ１００２は、ＭｅＮＢ１０６０ａへの送信のためにＲＲＣ接続再設定完了メッセージをＭＣＧ１０５５の下位レイヤへ提示する。ランダムアクセス失敗処理の一構成が以下の図１２に関連して記載される。
【０１７３】
図１０において、ＲＢ確立を伴わないＳＣＧ１０５７の追加の主な目的は、ランダムアクセス手順によるＳｅＮＢ１０６０ｂとの同期であるため、ランダムアクセス手順（ステップ１００９）がＲＲＣ接続再設定完了メッセージを送信する（ステップ１０１１）前に生じると想定することに留意すべきである。ＲＲＣ接続再設定のこの構成においては、たとえランダムアクセスの失敗が生じても、ＤＲＢ１０７５がＲＲＣ接続再設定手順には関与せず、ＤＲＢ１０７５は、ＭＣＧ１０５５上に維持される。
【０１７４】
ランダムアクセス手順（ステップ１００９）は、さらに、ＲＲＣ接続再設定完了メッセージを送信した（ステップ１０１１）後に生じてもよい。ＲＲＣ接続再設定メッセージに基づいて設定を行った後に、ＵＥ１００２は、送信のためにＲＲＣ接続再設定完了メッセージをＭＣＧ１０５５の下位レイヤへ提示する。ＵＥ１００２は、次に、ＳｅＮＢ１０６０ｂへのランダムアクセス手順を開始する。このケースでは、ＳｅＮＢ追加完了メッセージは、図１０に示されたのとは逆方向１０１３にＳｅＮＢ１０６０ｂからＭｅＮＢ１０６０ａへ送信される。
【０１７５】
ＭｅＮＢ１０６０ａは、ＳｅＮＢ追加完了メッセージをＳｅＮＢ１０６０ｂへ送信する（ステップ１０１３）。ＭｅＮＢ１０６０ａは、ＵＥ１００２によるＳＣＧ１０５７追加の完了をＳｅＮＢ１０６０ｂに報告し、新しい設定が使用中であることを確認する。ＳｅＮＢ１０６０ｂによるＳｅＮＢ追加完了メッセージの受信は、Ｘ２インターフェース６３７上でのＳｅＮＢ１０６０ｂ追加手順全体を首尾よく完了させる。ここで、ＳＣＧ１０５７の追加は、ＳＣＧ１０５７上でのＲＢの確立を伴わずに完了され、ＵＥ側１０７１においてＳＣＧ１０５７の破線から実線への移行によってこれが示される。
【０１７６】
図１１は、ＲＲＣ接続再設定手順の別の構成を示すスレッド図である。特に、図１１は、ＳｅＮＢ１１６０ｂ修正（ＳＣＧ１１５７修正とも呼ばれる）手順の一例を示す。図１１に関連して記載されるＵＥ１１０２は、図１に関連して記載されたＵＥ１０２に従って実装される。図１１に関連して記載されるＭｅＮＢ１１６０ａおよびＳｅＮＢ１１６０ｂは、図１に関連して記載されたｅＮＢ１６０に従って実装される。
【０１７７】
この例では、第１のデータ無線ベアラ（ＤＲＢ１）１１７５ａおよび第２のデータ無線ベアラ（ＤＲＢ２）１１７５ｂがＵＥ側１１７１およびネットワーク側１１７３で確立されていることを想定する。そのうえ、ＵＥ側１１７１においてＳＣＧ１１５７の実線で示されるように、ＳｅＮＢ１１６０ｂが最初に追加される。ＳｅＮＢ１１６０ｂの追加は、図１０に関連して先に記載されたように達成される。
【０１７８】
ＭＣＧ１１５５の第２のデータ無線ベアラ（ＤＲＢ２）１１７５ｂをＳＣＧ１１５７へ再配置するために、ＳＣＧ１１５７修正（ＳｅＮＢ１１６０ｂ修正とも呼ばれる）手順が行われる。ＭｅＮＢ１１６０ａは、固有Ｅ−ＲＡＢのための無線リソースを修正するようにＳｅＮＢ１１６０ｂにリクエストすることを決定する（ステップ１１０１）。例えば、ＭｅＮＢ１１６０ａは、ＳｅＮＢ１１６０ｂのリソースを修正するＲＲＭ決定を行う。ＭｅＮＢ１１６０ａは、無線リソースを修正するためのＳｅＮＢ修正リクエストをＳｅＮＢ１１６０ｂへ送信する（ステップ１１０３）。ＭｅＮＢ１１６０ａは、第２のデータ無線ベアラ（ＤＲＢ２）１１７５ｂのためのＤＲＢを設定するようにＳｅＮＢ１１６０ｂにリクエストする。代わりに、（図９に関連して先に記載されたように）ＳｅＮＢ１１６０ｂが固有Ｅ−ＲＡＢのための無線リソースを修正することを決定してもよい（ステップ９０１ｂ）。そのケースでは、ステップ１１０１および１１０３が省略されてもよい。
【０１７９】
ＳｅＮＢ１１６０ｂは、ＳｅＮＢ修正コマンドをＭｅＮＢ１１６０ａへ送信する（ステップ１１０５）。ＳｅＮＢ修正コマンドは、新しい無線リソース構成をＭｅＮＢ１１６０ａに提供する。新しい無線リソース構成は、第２のデータ無線ベアラ（ＤＲＢ２）１１７５ｂに対応するＥＰＳベアラのためのＤＲＢ設定を含みうる。
【０１８０】
ＭｅＮＢ１１６０ａは、ＳｅＮＢ１１６０ｂの新しい無線リソース構成を承認する。ＭｅＮＢ１１６０ａは、ＲＲＣ接続再設定（ＲＲＣＣｏｎｎｅｃｔｉｏｎＲｅｃｏｎｆｉｇｕｒａｔｉｏｎ）メッセージをＵＥ１１０２へ送信する（ステップ１１０７）ことによって、ＵＥ１１０２がＳｅＮＢ１１６０ｂの新しい無線リソース構成を適用するようにトリガする。ＲＲＣ接続再設定メッセージは、ＳＣＧ１１５７の修正のためのＳＣＧ設定パラメータを含みうる。
【０１８１】
ＲＲＣ接続再設定メッセージを受信すると、ＵＥ１１０２は、新しい設定を適用し始める（すなわち、ＲＲＣ接続再設定メッセージを受信すると、ＵＥ１１０２は、ＲＲＣ接続再設定手順を開始する）。言い換えれば、ＲＲＣ接続再設定メッセージの受信の際に、ＲＲＣ接続再設定メッセージがＳＣＧ１１５７の修正のためのＳＣＧ設定パラメータを含み、ＵＥ１１０２がこのメッセージに含まれた設定に適合できる場合、ＵＥ１１０２は、ＲＲＣ接続再設定手順を行うかまたは継続する。
【０１８２】
ＲＲＣ接続再設定メッセージは、ＳＣＧ１１５７の修正のためのＳＣＧ設定パラメータを含みうる。例えば、ＳＣＧ１１５７の修正のためのＳＣＧ設定パラメータは、ＤＲＢ設定を含みうる。ＤＲＢ設定は、ＭＣＧ１１５５上で確立されたＤＲＢ１１７５（例えば、ＤＲＢ２  １１７５ｂ）をＳＣＧ１１５７へ再マッピングするためのＤＲＢ設定パラメータを含みうる。
【０１８３】
ＭＣＧ１１５５上で確立されてＳＣＧ１１５７に適用されることになるＤＲＢ１１７５に関して、第１のＵＰアーキテクチャ８６５ａのケースでは、ＵＥ１１０２は、ＭＣＧ１１５５上で確立されたＰＤＣＰ８２７を再確立して、ＰＤＣＰ８２７をＳＣＧ１１５７へ関連付ける（例えば、再マッピングする）。ＰＤＣＰ８２７は、さらに、ＰＤＣＰ８２７の再確立の前にＳＣＧ１１５７へ関連付けられてもよい（例えば、再マッピングされてもよい）。例えば、ＭＣＧ１１５５上で確立されてＳＣＧ１１５７に適用されることになるＤＲＢ１１７５に関して、ＵＥ１１０２は、ＭＣＧ１１５５上で確立されたＰＤＣＰ８２７をＳＣＧ１１５７へ関連付けて、ＵＥ１１０２は、ＤＲＢ１１７５のためのＰＤＣＰ８２７をＳＣＧ１１５７上で再確立してもよい。
【０１８４】
ＭＣＧ１１５５上で確立され、ＳＣＧ１１５７に適用されることになるＤＲＢ１１７５に関して、ＵＥ１１０２は、ＭＣＧ１１５５上で確立されたＲＬＣ８２９を再確立して、ＲＬＣ８２９をＳＣＧ１１５７へ関連付ける。ＲＬＣ８２９は、さらに、ＲＬＣ８２９の再確立の前にＳＣＧ１１５７へ関連付けられてもよい。例えば、ＭＣＧ１１５５上で確立されてＳＣＧ１１５７に適用されることになるＤＲＢ１１７５に関して、ＵＥ１１０２は、ＭＣＧ１１５５上で確立されたＲＬＣ８２９をＳＣＧ１１５７へ関連付けて、ＵＥ１１０２は、ＤＲＢ１１７５のためのＲＬＣ８２９をＳＣＧ１１５７上で再確立してもよい。一構成において、ＥＰＳベアラ・アイデンティティ（例えば、ｅｐｓ−ｂｅａｒｅｒＩｄｅｎｔｉｔｙ）が再確立されたＤＲＢ１１７５を関連付けるためのアンカーとしての機能を果たす。ＰＤＣＰ８２７再確立およびＲＬＣ８２９再確立を行うことによって、ＵＥ１１０２は、ＳＣＧ１１５７上でＤＲＢ１１７５を再開する。図１１に示されるように、最初にＭＣＧ１１５５上にあったＤＲＢ２  １１５７ｂがＳＣＧ１１５７へ再マッピングされる。
【０１８５】
第２のＵＰアーキテクチャ８６５ｂのケースでは、ＳＣＧ１１５７の修正のためのＳＣＧ設定パラメータは、ＵＥ１１０２がＭＣＧ１１５５で確立されたＤＲＢ２  １１７５ｂのためのＲＬＣ８２９をＳＣＧ１１５７で確立できるように、ＤＲＢ１１７５設定を含みうる。ｅｐｓ−ｂｅａｒｅｒＩｄｅｎｔｉｔｙは、ＭＣＧ１１５５で確立されたＤＲＢ１１７５と、ＳＣＧ１１５７で確立されたＤＲＢ１１７５とを関連付けるためのアンカーとしての機能を果たす。ＵＥ１１０２は、ＤＲＢ２  １１７５ｂのためのＰＤＣＰ８２７をＭＣＧ１１５５で再確立する。ＵＥ１１０２は、ＤＲＢ２  １１７５ｂのためのＲＬＣ８２９をＭＣＧ１１５５で再確立する。ＭｅＮＢ１１６０ａは、ＤＲＢ２  １１７５ｂのためのＰＤＣＰ８６７をＵＥ１１０２のためのＭＣＧ１１５５で再確立する。ＭｅＮＢ１１６０ａは、ＤＲＢ２  １１７５ｂのためのＲＬＣ８６９をＵＥ１１０２のためのＭＣＧ１１５５で再確立する。
【０１８６】
第１のＵＰアーキテクチャ８６５ａのケースでは、ＭｅＮＢ１１６０ａは、各Ｅ−ＲＡＢ特性に基づいて、デュアル接続性のアクティブ化に起因するサービス中断を最小限に抑えるための措置を講ずる。ＭｅＮＢ１１６０ａは、ＳＮステータス報告をＳｅＮＢ１１６０ｂへ送信する（ステップ１１０９）。ＭｅＮＢ１１６０ａは、ＳｅＮＢ１１６０ｂへのデータ・フォワーディングを行う（ステップ１１１１）。
【０１８７】
ＵＥ１１０２は、再設定手順を完了する。ＵＥ１１０２は、送信のためにＲＲＣ接続再設定完了（ＲＲＣＣｏｎｎｅｃｔｉｏｎＲｅｃｏｎｆｉｇｕｒａｔｉｏｎＣｏｍｐｌｅｔｅ）メッセージをＭＣＧ１１５５の下位レイヤへ送る（ステップ１１１３）。留意すべきは、ＳｅＮＢ１１６０ｂとの同期がすでに達成されたため、ランダムアクセス手順が省略されることである。
【０１８８】
ＭｅＮＢ１１６０ａは、ＳｅＮＢ修正完了メッセージをＳｅＮＢ１１６０ｂへ送信する（ステップ１１１５）。ＭｅＮＢ１１６０ａは、ＵＥ１１０２によるＳＣＧ１１５７修正の完了をＳｅＮＢ１１６０ｂに報告し、新しい設定が使用中であることを確認する。ＳｅＮＢ１１６０ｂによるＳｅＮＢ修正完了メッセージの受信は、Ｘ２インターフェース６３７上でのＳｅＮＢ１１６０ｂ修正手順全体を首尾よく完了させる。
【０１８９】
図１２は、ＲＲＣ接続再設定手順のさらに別の構成を示すスレッド図である。特に、図１２は、ＳｅＮＢ１２６０ｂ追加（ＳＣＧ１２５７追加とも呼ばれる）手順の別の例を示す。図１２に関連して記載されるＵＥ１２０２は、図１に関連して記載されたＵＥ１０２に従って実装される。図１２に関連して記載されるＭｅＮＢ１２６０ａおよびＳｅＮＢ１２６０ｂは、図１に関連して記載されたｅＮＢ１６０に従って実装される。この例では、第１のデータ無線ベアラ（ＤＲＢ１）１２７５ａおよび第２のデータ無線ベアラ（ＤＲＢ２）１２７５ｂがＵＥ側１２７１およびネットワーク側１２７３で確立されていることを想定する。
【０１９０】
ＭｅＮＢ１２６０ａは、無線リソースを追加または修正するようにＳｅＮＢ１２６０ｂにリクエストすることを決定する（ステップ１２０１）。ＭｅＮＢ１２６０ａは、無線リソースを割り当てるかまたは修正するためのＳｅＮＢ追加／修正リクエストをＳｅＮＢ１２６０ｂへ送信する（ステップ１２０３）。代わりに、ＳｅＮＢ１１６０ｂが（図９に関連して先に記載されたように）無線リソースを追加または修正することを決定してもよい（ステップ９０１ｂ）。このケースでは、ステップ１２０１および１２０３が省略されてもよい。
【０１９１】
ＳｅＮＢ１２６０ｂは、ＳｅＮＢ追加／修正コマンドをＭｅＮＢ１２６０ａへ送信する（ステップ１２０５）。ＳｅＮＢ追加／修正コマンドは、新しい無線リソース構成をＭｅＮＢ１２６０ａに提供する。
【０１９２】
ＭｅＮＢ１２６０ａは、ＳｅＮＢ１２６０ｂの新しい無線リソース構成を承認する。ＭｅＮＢ１２６０ａは、ＲＲＣ接続再設定（ＲＲＣＣｏｎｎｅｃｔｉｏｎＲｅｃｏｎｆｉｇｕｒａｔｉｏｎ）メッセージをＵＥ１２０２へ送信する（ステップ１２０７）ことによって、ＵＥ１２０２がＳｅＮＢ１２６０ｂの新しい無線リソース構成を適用するようにトリガする。ＲＲＣ接続再設定メッセージは、ＳＣＧ１２５７の追加／修正のためのＳＣＧ設定パラメータを含みうる。
【０１９３】
ＲＲＣ接続再設定メッセージを受信すると、ＵＥ１２０２は、新しい設定を適用し始める（すなわち、ＲＲＣ接続再設定メッセージを受信すると、ＵＥ１１０２は、ＲＲＣ接続再設定手順を開始する）。言い換えれば、ＲＲＣ接続再設定メッセージの受信の際に、ＲＲＣ接続再設定メッセージがＳＣＧ１２５７の追加／修正のためのＳＣＧ設定パラメータを含み、ＵＥ１２０２がこのメッセージに含まれた設定に適合できる場合、ＵＥ１２０２は、ＲＲＣ接続再設定手順を行う。
【０１９４】
ＳＣＧ１２５７の追加／修正のためのＳＣＧ設定パラメータは、ＤＲＢ１２７５設定を含みうる。一実装において、ＤＲＢ１２７５設定は、ＰＤＣＰ８２７設定、ＲＬＣ８２９設定、論理チャネル構成、論理チャネル・アイデンティティおよび／またはＥＰＳベアラ・アイデンティティのうちのすべて、いくつか、または少なくとも１つを含みうる。
【０１９５】
Ｅ−ＲＡＢは、ＵＥ１２０２とＥＰＣ６２３との間でＥＰＳベアラのパケットを伝送する。Ｅ−ＲＡＢが存在するとき、このＥ−ＲＡＢとＥＰＳベアラとの間に１対１のマッピングがある。データ無線ベアラは、ＵＥとｅＮＢとの間でＥＰＳベアラのパケットを伝送する。データ無線ベアラが存在するとき、このデータ無線ベアラとＥＰＳベアラ／Ｅ−ＲＡＢとの間に１対１のマッピングがある。ＤＲＢ１２７５設定がこのステップに含められる。この例では、Ｅ−ＵＴＲＡＮ５３３は、ＳＣＧ１２５７が追加されたときにのみＲＢ（例えば、ＳＣＧ１２５７に対してＳＲＢが設定されないため、ＤＲＢ１２７５）の確立が含まれることを保証しなくてもよい。
【０１９６】
ＵＥ１２０２は、ＳＣＧ１２５７のターゲットセルのＤＬへの同期を開始する。これは、図１０に関連して先に記載されたように達成される。ＤＲＢ１２７５設定は、ＳＣＧ１２５７のためのＤＲＢ設定がＲＲＣ接続再設定メッセージに含まれる場合に適用される。ＤＲＢ１２７５設定は、ＭＣＧ１２５５上で確立されたＤＲＢ１２７５をＳＣＧ１２５７へ再マッピングするためのパラメータを含む。
【０１９７】
ＭＣＧ１２５５上で確立されてＳＣＧ１２５７に適用される（例えば、再マッピングされる）ことになるＤＲＢ１２７５に関して、第１のＵＰアーキテクチャ８６５ａのケースでは、ＵＥ１２０２は、ＭＣＧ１２５５上で確立されたＰＤＣＰ８２７を再確立して、ＰＤＣＰ８２７をＳＣＧ１２５７に関連付ける。これは、図１１に関連して先に記載されたように達成される。
【０１９８】
第２のＵＰアーキテクチャ８６５ｂのケースでは、ＳＣＧ１２５７の修正のためのＳＣＧ設定パラメータは、ＵＥ１２０２がＭＣＧ１２５５で確立されたＤＲＢ２  １２７５ｂのためのＲＬＣ８２９をＳＣＧ１２５７で確立できるように、ＤＲＢ１２７５設定を含みうる。これは、図１１に関連して先に記載されたように達成される。
【０１９９】
第１のＵＰアーキテクチャ８６５ａのケースでは、ＭｅＮＢ１２６０ａは、各Ｅ−ＲＡＢ特性に基づいて、デュアル接続性のアクティブ化に起因するサービス中断を最小限に抑えるための措置を講ずる。ＭｅＮＢ１２６０ａは、ＳＮステータス報告をＳｅＮＢ１２６０ｂへ送信する（ステップ１２０９）。ＭｅＮＢ１２６０ａは、ＳｅＮＢ１２６０ｂへのデータ・フォワーディングを行う（ステップ１２１１）。
【０２００】
ＵＥ１２０２は、ＳＣＧ１２５７のターゲットセルのＤＬへの同期を開始する。ＳＣＧ１２５７のターゲットセルは、ＰＣｅｌｌ類似セル、プライマリＳＣｅｌｌ（ＰＳＣｅｌｌ）、セカンダリＰＣｅｌｌ（ＳＰＣｅｌｌ）、ＰＣｅｌｌｓｃｇ、ＳＣＧ  ＰＣｅｌｌなどとも呼ばれる。ＵＥ１２０２は、ＳＣＧ１２５７のＭＡＣ７６１エンティティを確立する。ＵＥ１２０２は、ＳＣＧ１２５７のためのセル無線ネットワーク一時識別子（Ｃ−ＲＮＴＩ）としてｎｅｗＵＥ−Ｉｄｅｎｔｉｔｙの値を適用する。
【０２０１】
ＵＥ１２０２は、受信したＳＣＧ１２５７のためのＲＲＣ共通（例えば、ｒａｄｉｏＲｅｓｏｕｒｃｅＣｏｎｆｉｇＣｏｍｍｏｎ）メッセージに従ってＳＣＧ１２５７の下位レイヤを構成する。ＵＥ１２０２は、受信したＳＣＧ設定パラメータ中に含まれるいずれかの追加フィールドに従ってＳＣＧ１２５７の下位レイヤを構成してもよい。例えば、ＳＣＧ設定パラメータ中に随意的に含まれる、ＲＡＣＨ−ＣｏｎｆｉｇＤｅｄｉｃａｔｅｄがＳＣＧ１２５７のためのＭＡＣ７６１エンティティに提供されてもよい。ＲＲＣ接続再設定メッセージがｒａｄｉｏＲｅｓｏｕｒｃｅＣｏｎｆｉｇＤｅｄｉｃａｔｅｄパラメータを含む場合、ＵＥ１２０２は、無線リソース構成手順を行う。
【０２０２】
ＵＥ１２０２は、ＳｅＮＢ１２６０ｂのターゲットセル（例えば、ＰＣｅｌｌ類似セル）への同期のためにＳｅＮＢ１２６０ｂへのランダムアクセス手順を行う（ステップ１２１３）。ＳｅＮＢ１２６０ｂへのランダムアクセス手順は、ＲＲＣ接続再設定手順の一部であってもよい。ランダムアクセス手順は、ＳＣＧ１２５７のＭＡＣ７６１によって行われる（ステップ１２１３）。
【０２０３】
ＳｅＮＢ同期成功（例えば、ランダムアクセス手順成功）のケースでは、ＵＥ１２０２は、ＲＲＣ接続再設定完了（ＲＲＣＣｏｎｎｅｃｔｉｏｎＲｅｃｏｎｆｉｇｕｒａｔｉｏｎＣｏｍｐｌｅｔｅ）メッセージをＭｅＮＢ１２６０ａへ送信する。ＳＣＧ１２５７のＭＡＣ７６１がランダムアクセス手順を首尾よく完了した後、ＵＥ１２０２は、再設定手順を完了する。ＵＥ１２０２は、ＭｅＮＢ１２６０ａへの送信のためにＲＲＣ接続再設定完了メッセージをＭＣＧ１２５５の下位レイヤへ提示する。ランダムアクセス手順の結果に関する情報がＲＲＣ接続再設定完了メッセージに含まれてもよい。このケースでは、ランダムアクセス手順の成功に関する情報がＲＲＣ接続再設定完了メッセージに含まれてもよい。
【０２０４】
ＳｅＮＢ同期失敗１２１５（例えば、ランダムアクセス手順失敗）のケースでは、ＵＥ１２０２は、ランダムアクセス手順の失敗に関する情報を含むＲＲＣ接続再設定完了メッセージを送信する（ステップ１２１７）。一構成において、ＵＥ１２０２は、ＲＲＣ接続再設定手順においてタイマ（例えば、タイマＴ１）を始動させる。一例において、タイマは、ランダムアクセス手順の直前に始動される。別の例では、タイマは、ＲＲＣ接続再設定メッセージの受信の際に始動される。タイマが終了した（例えば、ランダムアクセス手順が時間内に首尾よく完了されなかった）場合、ＵＥ１２０２は、ランダムアクセス失敗に関する情報を含むＲＲＣ接続再設定完了メッセージを生成する。ＵＥ１２０２は、ランダムアクセス失敗に関する情報を含むＲＲＣ接続再設定完了メッセージをＭｅＮＢ１２６０ａへ送信する（ステップ１２１７）。ＭｅＮＢ１２６０ａは、ランダムアクセス失敗指標をＳｅＮＢ１２６０ｂへ送信する（ステップ１２１９）。
【０２０５】
ランダムアクセス手順の結果に関する情報に対していくつかの実装が利用される。例えば、ランダムアクセス失敗がＳＣＧ１２５７で生じた場合、ＳＣＧ１２５７上でのランダムアクセス失敗の指標がＲＲＣ接続再設定完了メッセージに含められる。ランダムアクセス手順がＳＣＧ１２５７で首尾よく完了された場合、ＳＣＧ１２５７上でのランダムアクセス手順成功の指標がＲＲＣ接続再設定完了メッセージに含められる。
【０２０６】
ランダムアクセス手順の結果に関する情報は、ＳＣＧ設定または再設定（例えば、（再）設定）完了メッセージと呼ばれる。例えば、ランダムアクセス手順がＳＣＧ１２５７で首尾よく完了された場合、ＳＣＧ（再）設定完了メッセージがＲＲＣ接続再設定完了メッセージに含められる。ランダムアクセス失敗がＳＣＧ１２５７で生じた場合、ＳＣＧ（再）設定完了メッセージは含められない。別の実装では、ランダムアクセス失敗がＳＣＧ１２５７で生じた場合、ＳＣＧ（再）設定失敗メッセージがＲＲＣ接続再設定完了メッセージに含められてもよい。
【０２０７】
ランダムアクセス失敗がＳＣＧ１２５７で生じた場合、ＵＥ１２０２は、前の設定に戻る。一例において、前の設定に戻ることは、ＭＣＧ１２５５およびＳＣＧ１２５７の設定を、ＲＲＣ接続再設定メッセージの受信前のＭＣＧ１２５５およびＳＣＧ１２５７の設定の状態に返すことを意味する。別の例では、前の設定に戻ることは、ＳＣＧ１２５７の設定を、ＲＲＣ接続再設定メッセージの受信前のＳＣＧ１２５７の設定の状態に返し、ＲＲＣ接続再設定メッセージによって適用されたＭＣＧ１２５５の設定を維持することを意味する。
【０２０８】
代わりに、ＤＲＢ１２７５の設定がランダムアクセス成功（すなわち、ＳｅＮＢ１２６０ｂとの同期）後に適用されてもよい。言い換えれば、ＳＣＧ１２５７へのランダムアクセス手順の前に最初に物理レイヤおよびＭＡＣレイヤに関する（再）設定が適用される。次に、ランダムアクセス手順が首尾よく完了された後に残りの（再）設定が適用される。これによってランダムアクセスの問題へのＤＲＢ再設定の関与を少なくできる。ＲＲＣ接続再設定メッセージを受信すると、ＵＥ１２０２は、新しい設定を適用し始める。ＵＥ１２０２は、ＳＣＧ１２５７のターゲットセルのＤＬへの同期を開始する。ＳＣＧ１２５７のターゲットセルは、ＰＣｅｌｌ類似セル、プライマリＳＣｅｌｌ（ＰＳＣｅｌｌ）、セカンダリＰＣｅｌｌ（ＳＰＣｅｌｌ）、ＰＣｅｌｌｓｃｇ、ＳＣＧ  ＰＣｅｌｌなどとも呼ばれる。ＵＥ１２０２は、ＳＣＧ１２５７のＭＡＣ７６１エンティティを確立する。ＵＥ１２０２は、ＳＣＧ１２５７のためのセル無線ネットワーク一時識別子（Ｃ−ＲＮＴＩ）としてｎｅｗＵＥ−Ｉｄｅｎｔｉｔｙの値を適用する。
【０２０９】
ＵＥ１２０２は、受信したＳＣＧ１２５７のためのＲＲＣ共通（例えば、ｒａｄｉｏＲｅｓｏｕｒｃｅＣｏｎｆｉｇＣｏｍｍｏｎ）メッセージに従ってＳＣＧ１２５７の下位レイヤを構成する。ＵＥ１２０２は、受信したＳＣＧ設定パラメータ中に含まれるいずれかの追加フィールドに従ってＳＣＧ１２５７の下位レイヤを構成してもよい。例えば、ＳＣＧ設定パラメータ中に随意的に含まれる、ＲＡＣＨ−ＣｏｎｆｉｇＤｅｄｉｃａｔｅｄがＳＣＧ１２５７のためのＭＡＣ７６１エンティティに提供されてもよい。ＲＲＣ接続再設定メッセージがｒａｄｉｏＲｅｓｏｕｒｃｅＣｏｎｆｉｇＤｅｄｉｃａｔｅｄパラメータを含む場合、ＵＥ１２０２は、無線リソース構成手順を行う。
【０２１０】
ＵＥ１２０２は、ＳｅＮＢ１２６０ｂのターゲットセル（例えば、ＰＣｅｌｌ類似セル）への同期のためにＳｅＮＢ１２６０ｂへのランダムアクセス手順を行う（ステップ１２１３）。ＳｅＮＢ１２６０ｂへのランダムアクセス手順は、ＲＲＣ接続再設定手順の一部であってもよい。ランダムアクセス手順は、ＳＣＧ１２５７のＭＡＣ７６１によって行われる（ステップ１２１３）。
【０２１１】
ＳｅＮＢ同期成功（例えば、ランダムアクセス手順成功）のケースでは、ＵＥ１２０２は、ＭＣＧ１２５５および／またはＳＣＧ１２５７のためのＤＲＢ設定がＲＲＣ接続再設定メッセージに含まれる場合にはＤＲＢ１２７５設定を適用する。ＤＲＢ１２７５設定は、ＭＣＧ１２５５上で確立されたＤＲＢ１２７５をＳＣＧ１２５７へ再マッピングするためのパラメータを含む。
【０２１２】
ＵＥ１２０２は、ＭｅＮＢ１２６０ａへの送信のためにＲＲＣ接続再設定完了メッセージをＭＣＧ１２５５の下位レイヤへ提示する。ランダムアクセス手順の結果に関する情報がＲＲＣ接続再設定完了メッセージに含まれてもよい。このケースでは、ランダムアクセス手順の成功に関する情報がＲＲＣ接続再設定完了メッセージに含まれてもよい。
【０２１３】
ＳｅＮＢ同期失敗１２１５（例えば、ランダムアクセス手順失敗）のケースでは、ＵＥ１２０２は、先に説明したようにランダムアクセス手順の失敗に関する情報を含むＲＲＣ接続再設定完了メッセージを送信する（ステップ１２１７）。
【０２１４】
上記の代替策では、ＵＥ１２０２が前の設定に戻るが、この代替策では、ＵＥ１２０２がＤＲＢ設定を適用しなかった。それゆえに、ランダムアクセス成功後にＤＲＢ１２７５設定を適用することによって、手順が効率的に簡略化される。
【０２１５】
図１３は、ＵＥ１３０２において利用される様々なコンポーネントを示す。図１３に関連して記載されるＵＥ１３０２は、図１に関連して記載されたＵＥ１０２に従って実装される。ＵＥ１３０２は、ＵＥ１３０２のオペレーションを制御するプロセッサ１３８１を含む。プロセッサ１３８１は、中央処理装置（ＣＰＵ：ｃｅｎｔｒａｌ  ｐｒｏｃｅｓｓｉｎｇ  ｕｎｉｔ）とも呼ばれる。メモリ１３８７は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ１３８１に命令１３８３ａおよびデータ１３８５ａを供給する。メモリ１３８７の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでもよい。命令１３８３ｂおよびデータ１３８５ｂは、プロセッサ１３８１にも存在する。プロセッサ１３８１に読み込まれた命令１３８３ｂおよび／またはデータ１３８５ｂは、プロセッサ１３８１による実行または処理のために読み込まれた、メモリ１３８７からの命令１３８３ａおよび／またはデータ１３８５ａも含む。命令１３８３ｂは、上記の方法２００および４００の１つ以上を実装するためにプロセッサ１３８１によって実行される。
【０２１６】
ＵＥ１３０２は、データの送受信を可能にするための１つ以上の送信機１３５８および１つ以上の受信機１３２０が入った筺体も含む。送信機（単数または複数）１３５８および受信機（単数または複数）１３２０は、１つ以上のトランシーバ１３１８に組み合わされてもよい。１つ以上のアンテナ１３２２ａ〜ｎは、筺体に取り付けられて、トランシーバ１３１８に電気的に結合される。
【０２１７】
ＵＥ１３０２の様々なコンポーネントは、データバスに加えて、電力バス、制御信号バスおよびステータス信号バスを含む、バスシステム１３８９によって結合される。しかしながら、明確さのために、図１３では様々なバスがバスシステム１３８９として示される。ＵＥ１３０２は、信号処理用のデジタル信号プロセッサ（ＤＳＰ：ｄｉｇｉｔａｌ  ｓｉｇｎａｌ  ｐｒｏｃｅｓｓｏｒ）１３９１も含んでもよい。ＵＥ１３０２は、ＵＥ１３０２の機能へのユーザ・アクセスを提供する通信インターフェース１３９３も含んでもよい。図１３に示されるＵＥ１３０２は、具体的なコンポーネントのリスティングではなく、機能ブロック図である。
【０２１８】
図１４は、ｅＮＢ１４６０において利用される様々なコンポーネントを示す。図１４に関連して記載されるｅＮＢ１４６０は、図１に関連して記載されたｅＮＢ１６０に従って実装される。ｅＮＢ１４６０は、ｅＮＢ１４６０のオペレーションを制御するプロセッサ１４８１を含む。プロセッサ１４８１は、中央処理装置（ＣＰＵ）とも呼ばれる。メモリ１４８７は、リードオンリメモリ（ＲＯＭ）、ランダムアクセスメモリ（ＲＡＭ）、これら２つの組み合わせ、あるいは情報を記憶する任意のタイプのデバイスを含み、プロセッサ１４８１に命令１４８３ａおよびデータ１４８５ａを供給する。メモリ１４８７の一部分は、不揮発性ランダムアクセスメモリ（ＮＶＲＡＭ）も含んでもよい。命令１４８３ｂおよびデータ１４８５ｂは、プロセッサ１４８１にも存在する。プロセッサ１４８１に読み込まれた命令１４８３ｂおよび／またはデータ１４８５ｂは、プロセッサ１４８１による実行または処理のために読み込まれた、メモリ１４８７からの命令１４８３ａおよび／またはデータ１４８５ａも含む。命令１４８３ｂは、上記の方法３００および５００の１つ以上を実装するためにプロセッサ１４８１によって実行される。
【０２１９】
ｅＮＢ１４６０は、データの送受信を可能にするための１つ以上の送信機１４１７および１つ以上の受信機１４７８が入った筺体も含む。送信機（単数または複数）１４１７および受信機（単数または複数）１４７８は、１つ以上のトランシーバ１４７６に組み合わされてもよい。１つ以上のアンテナ１４８０ａ〜ｎは、筺体に取り付けられて、トランシーバ１４７６に電気的に結合される。
【０２２０】
ｅＮＢ１４６０の様々なコンポーネントは、データバスに加えて、電力バス、制御信号バスおよびステータス信号バスを含む、バスシステム１４８９によって結合される。しかしながら、明確さのために、図１４では様々なバスがバスシステム１４８９として示される。ｅＮＢ１４６０は、信号処理用のデジタル信号プロセッサ（ＤＳＰ）１４９１も含んでもよい。ｅＮＢ１４６０は、ｅＮＢ１４６０の機能へのユーザ・アクセスを提供する通信インターフェース１４９３も含んでもよい。図１４に示されるｅＮＢ１４６０は、具体的なコンポーネントのリスティングではなく、機能ブロック図である。
【０２２１】
図１５は、フィードバック情報を送信するためのシステムおよび方法が実装されたＵＥ１５０２の一構成を示すブロック図である。ＵＥ１５０２は、送信手段１５５８、受信手段１５２０および制御手段１５２４を含む。送信手段１５５８、受信手段１５２０および制御手段１５２４は、上の図２および図４に関連して記載された機能の１つ以上を行うように構成される。上の図１３は、図１５の具体的な装置構造の一例を示す。図２および図４の機能の１つ以上を実現するために他の様々な構造が実装されてもよい。例えば、ＤＳＰがソフトウェアによって実現されてもよい。
【０２２２】
図１６は、フィードバック情報を受信するためのシステムおよび方法が実装されたｅＮＢ１６６０の一構成を示すブロック図である。ｅＮＢ１６６０は、送信手段１６１７、受信手段１６７８および制御手段１６８２を含む。送信手段１６１７、受信手段１６７８および制御手段１６８２は、上の図３および図５に関連して記載された機能の１つ以上を行うように構成される。上の図１４は、図１６の具体的な装置構造の一例を示す。図３および図５の機能の１つ以上を実現するために他の様々な構造が実装されてもよい。例えば、ＤＳＰがソフトウェアによって実現されてもよい。
【０２２３】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０２２４】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【０２２５】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特定のステップおよび／または動作の順序および／または使用は、特許請求の範囲から逸脱することなく修正されてもよい。
【０２２６】
当然のことながら、特許請求の範囲は、先に示された通りの構成および構成要素には限定されない。特許請求の範囲から逸脱することなく、本明細書に記載される配置、オペレーション、ならびにシステム、方法および装置の詳細に様々な修正、変更および変形がなされてもよい。
【図１】
0006535677.tif 000002
【図２】
0006535677.tif 000003
【図３】
0006535677.tif 000004
【図４】
0006535677.tif 000005
【図５】
0006535677.tif 000006
【図６】
0006535677.tif 000007
【図７】
0006535677.tif 000008
【図８】
0006535677.tif 000009
【図９】
0006535677.tif 000010
【図１０】
0006535677.tif 000011
【図１１】
0006535677.tif 000012
【図１２】
0006535677.tif 000013
【図１３】
0006535677.tif 000014
【図１４】
0006535677.tif 000015
【図１５】
0006535677.tif 000016
【図１６】
0006535677.tif 000017